(57)【要約】【課題】新聞、雑誌、フリーペーパー等の紙媒体に記載された記事を容易にスクラップすることができ、かつ、スクラップした内容の中から時節に応じた適切な記事をユーザに対して自動的に再提示することが可能な情報管理サーバ、情報管理方法、情報管理システムおよびプログラムを提供する。【解決手段】本発明に係る情報管理サーバ１０では、クライアント機器との間に接続が確立された際に、接続が確立した日時と登録されている記事情報の登録日時とに基づいて登録されている記事情報を所定の時間条件に従って検索し、所定の時間条件に該当する記事情報をリマインド情報として生成するとともに、リマインド情報をユーザへと通知するリマインド情報生成部１１５を設けた。【選択図】図１
2010033267.tif 000002
【特許請求の範囲】
【請求項１】
クライアント機器から送信された、紙媒体に掲載された記事に関する記事情報の登録要求に基づき、前記記事情報を、前記クライアント機器を利用したユーザに関するユーザ情報に関連づけて登録および管理する情報管理サーバであって、
前記記事情報を、前記クライアント機器を介して前記登録要求を送信したユーザに固有の識別番号と、前記登録要求を受信した日時とに関連づけて登録する記事情報登録部と、
前記クライアント機器から、特定の前記ユーザに関連づけられて登録されている前記記事情報の取得を要求する記事情報取得要求が送信された際に、前記登録されている記事情報を前記ユーザへと通知する記事情報提供部と、
前記クライアント機器との間に接続が確立された際に、前記接続が確立した日時と前記登録されている記事情報の登録日時とに基づいて前記登録されている記事情報を所定の時間条件に従って検索し、前記所定の時間条件に該当する前記記事情報をリマインド情報として生成するとともに、前記リマインド情報を前記ユーザへと通知するリマインド情報生成部と、
前記ユーザに関するユーザ情報と、前記記事情報の登録履歴および前記登録されている記事情報の提供履歴に関する前記ユーザごとの履歴情報と、がそれぞれ記録される記憶部と、
を備えることを特徴とする、情報管理サーバ。
【請求項２】
前記接続が確立した日時が月初から所定期間の間または月末から所定期間前である場合には、
前記リマインド情報生成部は、前記接続が確立した日時と同一の月に属する既に登録されている前記記事情報について検索を行う
ことを特徴とする、請求項１に記載の情報管理サーバ。
【請求項３】
前記記事情報には、属性情報として前記記事のジャンルが付加されており、
前記リマインド情報生成部は、前記属性情報を参照して、前記接続が確立した日時と関連する前記ジャンルを優先的に抽出する
ことを特徴とする、請求項１または２に記載の情報管理サーバ。
【請求項４】
前記接続が確立した日時が月初から所定期間の間または月末から所定期間前ではない場合には、
前記リマインド情報生成部は、前記接続が確立した日時に該当する曜日に応じて、前記記事情報の検索を行う
ことを特徴とする、請求項１〜３のいずれかに記載の情報管理サーバ。
【請求項５】
前記記事情報には、属性情報として前記記事のジャンルが付加されており、
前記リマインド情報生成部は、前記接続が確立した日時に該当する曜日に応じて、検索条件として利用する前記ジャンルを変更する
ことを特徴とする、請求項１〜４のいずれかに記載の情報管理サーバ。
【請求項６】
前記記事情報登録部は、前記記事情報取得要求が送信された前記記事情報に対して、既読である旨を表す情報を付加し、
前記リマインド情報生成部は、前記接続が確立した日時において未読である前記記事情報を検索する
ことを特徴とする、請求項１〜５のいずれかに記載の情報管理サーバ。
【請求項７】
前記情報管理サーバは、前記接続が確立した時点で既に提供済みの前記紙媒体に掲載されている前記記事情報に関する記事データと、前記接続が確立した時点で未だ提供されていない前記紙媒体に掲載される前記記事情報に関する記事データを、外部に接続された情報提供装置から予め提供されており、
前記ユーザごとの履歴情報に基づいて前記予め提供されている前記記事データを検索して、前記記事データの中から、前記ユーザが前記クライアント機器を介して前記登録要請を送信していない前記記事情報を抽出し、抽出した前記記事情報をリコメンド情報とするリコメンド情報生成部を更に備える
ことを特徴とする、請求項１〜６のいずれかに記載の情報管理サーバ。
【請求項８】
前記リコメンド情報生成部は、
前記ユーザごとの履歴情報に記載されている、前記登録要請のあった前記記事情報に含まれる属性情報および前記記事情報取得要求のあった前記記事情報に含まれる属性情報の少なくとも何れか一方に基づいて前記記事データを検索し、
前記記事データに関連付けられた属性情報が、前記履歴情報に含まれる前記属性情報と一致または類似するものを抽出する
ことを特徴とする、請求項７に記載の情報管理サーバ。
【請求項９】
前記情報管理サーバは、外部に接続された情報提供装置から、当該情報提供装置に記録されている商品またはサービスに関する広告情報が予め提供されており、
前記リコメンド情報生成部は、前記ユーザごとの履歴情報に記載されている、前記登録要請のあった前記記事情報に含まれる属性情報および前記記事情報取得要求のあった前記記事情報に含まれる属性情報の少なくとも何れか一方に基づいて前記広告情報を検索し、前記広告情報に関連付けられた属性情報が、前記履歴情報に含まれる前記属性情報と一致または類似するものを抽出する
ことを特徴とする、請求項７に記載の情報管理サーバ。
【請求項１０】
前記ユーザごとの履歴情報を集計し、当該集計結果を前記ユーザ情報に基づいて解析する履歴情報解析部を更に備える
ことを特徴とする、請求項１〜９のいずれかに記載の情報管理サーバ。
【請求項１１】
前記紙媒体が正規に購入されたものであるか否かを判定する媒体購入確認部を更に備え、
前記紙媒体が正規に購入されたものである場合に、処理を実行する
ことを特徴とする、請求項１〜１０のいずれかに記載の情報管理サーバ。
【請求項１２】
前記紙媒体には、袋とじまたはスクラッチ式の隠蔽部が設けられ、前記袋とじの中または前記スクラッチ式の隠蔽部の下に前記紙媒体に固有の識別情報が記載されており、
前記媒体購入確認部は、前記紙媒体に固有の識別情報に基づいて判定を行う
ことを特徴とする、請求項１１に記載の情報管理サーバ。
【請求項１３】
前記媒体購入確認部は、前記紙媒体を正規に購入した旨の登録要請を受信した日時から所定の期間が経過した後に、前記紙媒体に掲載されている他の記事に関する内容を確認するメールを前記クライアント機器に対して送信し、前記クライアント機器から適切な回答がない場合には、処理を実行しない
ことを特徴とする、請求項１１に記載の情報管理サーバ。
【請求項１４】
クライアント機器から送信された、紙媒体に掲載された記事に関する記事情報の登録要求に基づき、前記記事情報を、前記クライアント機器を利用したユーザに関するユーザ情報に関連づけて登録および管理する情報管理方法であって、
前記記事情報を、前記クライアント機器を介して前記登録要求を送信したユーザに固有の識別番号と、前記登録要求を受信した日時とに関連づけて登録する記事情報登録ステップと、
前記クライアント機器との間に接続が確立された際に、前記接続が確立した日時と前記登録されている記事情報の登録日時とに基づいて前記登録されている記事情報を所定の時間条件に従って検索し、前記所定の時間条件に該当する前記記事情報をリマインド情報として生成するとともに、前記リマインド情報を前記ユーザへと通知するリマインド情報生成ステップと、
前記クライアント機器から、特定の前記ユーザに関連づけられて登録されている前記記事情報の取得を要求する記事情報取得要求が送信された際に、前記登録されている記事情報を前記ユーザへと通知する記事情報提供ステップと、
を含むことを特徴とする、情報管理方法。
【請求項１５】
紙媒体に掲載された記事に関する記事情報の登録要求を送信するクライアント機器と、
前記クライアント機器から送信された前記登録要求に基づき、前記記事情報を、前記クライアント機器を利用したユーザに関するユーザ情報に関連づけて登録および管理する情報管理サーバと、
前記記事情報に関する記事データを前記情報管理サーバに提供する情報提供装置と、
を含む情報管理システムであって、
前記情報管理サーバは、
前記記事情報を、前記クライアント機器を介して前記登録要求を送信したユーザに固有の識別番号と、前記登録要求を受信した日時とに関連づけて登録する記事情報登録部と、
前記クライアント機器から、特定の前記ユーザに関連づけられて登録されている前記記事情報の取得を要求する記事情報取得要求が送信された際に、前記登録されている記事情報を前記クライアント機器へと通知する記事情報提供部と、
前記クライアント機器との間に接続が確立された際に、前記接続が確立した日時と前記登録されている記事情報の登録日時とに基づいて前記登録されている記事情報を所定の時間条件に従って検索し、前記所定の時間条件に該当する前記記事情報をリマインド情報として生成するとともに、前記リマインド情報を前記クライアント機器へと通知するリマインド情報生成部と、
前記ユーザに関するユーザ情報と、前記記事情報の登録履歴および前記登録されている記事情報の提供履歴に関する前記ユーザごとの履歴情報と、がそれぞれ記録される記憶部と、
を備えることを特徴とする、情報管理システム。
【請求項１６】
前記クライアント機器は、前記記事に併せて掲載される記事特定情報に基づいて、登録を希望する前記記事情報を特定し、前記登録要請情報を生成する
ことを特徴とする、請求項１５に記載の情報管理システム。
【請求項１７】
前記記事特定情報は、前記記事に関する記事情報と、前記記事が掲載された前記紙媒体と、を特定する二次元バーコードである
ことを特徴とする、請求項１６に記載の情報管理システム。
【請求項１８】
前記記事特定情報は、前記記事に関する記事情報と、前記記事が掲載された前記紙媒体と、を特定する固有の識別番号である
ことを特徴とする、請求項１６に記載の情報管理システム。
【請求項１９】
前記情報管理サーバは、前記ユーザごとの履歴情報を集計し、当該集計結果を前記ユーザ情報に基づいて解析する履歴情報解析部を更に備え、
前記履歴情報解析部は、前記履歴情報の解析結果を、前記情報提供装置に対して送信する
ことを特徴とする、請求項１５に記載の情報管理システム。
【請求項２０】
コンピュータを、クライアント機器から送信された、紙媒体に掲載された記事に関する記事情報の登録要求に基づき、前記記事情報を、前記クライアント機器を利用したユーザに関するユーザ情報に関連づけて登録および管理する情報管理サーバとして機能させるためのプログラムであって、
前記記事情報を、前記クライアント機器を介して前記登録要求を送信したユーザに固有の識別番号と、前記登録要求を受信した日時とに関連づけて登録する記事情報登録機能と、
前記クライアント機器から、特定の前記ユーザに関連づけられて登録されている前記記事情報の取得を要求する記事情報取得要求が送信された際に、前記登録されている記事情報を前記クライアント機器へと通知する記事情報提供機能と、
前記クライアント機器との間に接続が確立された際に、前記接続が確立した日時と前記登録されている記事情報の登録日時とに基づいて前記登録されている記事情報を所定の時間条件に従って検索し、前記所定の時間条件に該当する前記記事情報をリマインド情報として生成するとともに、前記リマインド情報を前記クライアント機器へと通知するリマインド情報生成機能と、
前記ユーザに関するユーザ情報と、前記記事情報の登録履歴および前記登録されている記事情報の提供履歴に関する前記ユーザごとの履歴情報と、をそれぞれ記録する機能と、
をコンピュータに実現させるためのプログラム。
【発明の詳細な説明】
【技術分野】
【０００１】
本発明は、情報管理サーバ、情報管理方法、情報管理システムおよびプログラムに関する。
【背景技術】
【０００２】
従来、新聞や雑誌などを購読後、これらに記載されている記事の中から、後日使えそうな記事や、もう一度読みたいと思った記事等を切り抜いて、スクラップブックに貼り付けて保存することが行われてきた。
【０００３】
しかしながら、このようなスクラップ作業は手間のかかるものであり、また、スクラップした記事を後日検索しようとした場合に、スクラップした記事が多ければ多いほど、検索が困難となってしまう。
【０００４】
このような問題を解決するために、記事に記載されている内容そのものを電子化し、ネットワーク上のサーバ等に保存する手法が提案されている（例えば、特許文献１〜３を参照。）。
【０００５】
【特許文献１】特開平１１−２５９４８９号公報
【特許文献２】特開２００２−２４５０７４号公報
【特許文献３】特開２００５−３１７８０号公報
【発明の開示】
【発明が解決しようとする課題】
【０００６】
上述のような方法を用いることで、スクラップ処理が容易となり、気軽に記事をスクラップできるようになる反面、大量の記事をスクラップした結果、以前どのような記事をスクラップしたのかを失念してしまい、結局、スクラップした記事に記載されていた内容を有効に活用できないという問題が生じる可能性がある。
【０００７】
そこで、本発明は、このような問題に鑑みてなされたもので、その目的は、新聞、雑誌、フリーペーパー等の紙媒体に記載された記事を容易にスクラップすることができ、かつ、スクラップした内容の中から時節に応じた適切な記事をユーザに対して自動的に再提示することが可能な、新規かつ改良された情報管理サーバ、情報管理方法、情報管理システムおよびプログラムを提供することにある。
【課題を解決するための手段】
【０００８】
上記課題を解決するために、本発明のある観点によれば、クライアント機器から送信された、紙媒体に掲載された記事に関する記事情報の登録要求に基づき、前記記事情報を、前記クライアント機器を利用したユーザに関するユーザ情報に関連づけて登録および管理する情報管理サーバであって、前記記事情報を、前記クライアント機器を介して前記登録要求を送信したユーザに固有の識別番号と、前記登録要求を受信した日時とに関連づけて登録する記事情報登録部と、前記クライアント機器から、特定の前記ユーザに関連づけられて登録されている前記記事情報の取得を要求する記事情報取得要求が送信された際に、前記登録されている記事情報を前記ユーザへと通知する記事情報提供部と、前記クライアント機器との間に接続が確立された際に、前記接続が確立した日時と前記登録されている記事情報の登録日時とに基づいて前記登録されている記事情報を所定の時間条件に従って検索し、前記所定の時間条件に該当する前記記事情報をリマインド情報として生成するとともに、前記リマインド情報を前記ユーザへと通知するリマインド情報生成部と、前記ユーザに関するユーザ情報と、前記記事情報の登録履歴および前記登録されている記事情報の提供履歴に関する前記ユーザごとの履歴情報と、がそれぞれ記録される記憶部と、を備える情報管理サーバが提供される。
【０００９】
かかる構成によれば、記憶部には、ユーザに関するユーザ情報と、記事情報の登録履歴および登録されている記事情報の提供履歴に関するユーザごとの履歴情報と、がそれぞれ記録される。また、記事情報登録部は、記事情報を、クライアント機器を介して登録要求を送信したユーザに固有の識別番号と、登録要求を受信した日時とに関連づけて登録し、記事情報提供部は、クライアント機器から、特定のユーザに関連づけられて登録されている記事情報の取得を要求する記事情報取得要求が送信された際に、登録されている記事情報をユーザへと通知する。また、リマインド情報生成部は、クライアント機器との間に接続が確立された際に、接続が確立した日時と登録されている記事情報の登録日時とに基づいて登録されている記事情報を所定の時間条件に従って検索し、所定の時間条件に該当する記事情報をリマインド情報として生成するとともに、リマインド情報をユーザへと通知する。これにより、クライアント機器を操作しているユーザは、紙媒体に記載された記事を容易にスクラップすることができ、かつ、スクラップした内容の中から時節に応じた適切な記事を再読することが可能となる。
【００１０】
前記接続が確立した日時が月初から所定期間の間または月末から所定期間前である場合には、前記リマインド情報生成部は、前記接続が確立した日時と同一の月に属する既に登録されている前記記事情報について検索を行うようにしてもよい。
【００１１】
前記記事情報には、属性情報として前記記事のジャンルが付加されており、前記リマインド情報生成部は、前記属性情報を参照して、前記接続が確立した日時と関連する前記ジャンルを優先的に抽出するようにしてもよい。
【００１２】
前記接続が確立した日時が月初から所定期間の間または月末から所定期間前ではない場合には、前記リマインド情報生成部は、前記接続が確立した日時に該当する曜日に応じて、前記記事情報の検索を行うようにしてもよい。
【００１３】
前記記事情報には、属性情報として前記記事のジャンルが付加されており、前記リマインド情報生成部は、前記接続が確立した日時に該当する曜日に応じて、検索条件として利用する前記ジャンルを変更するようにしてもよい。
【００１４】
前記記事情報登録部は、前記記事情報取得要求が送信された前記記事情報に対して、既読である旨を表す情報を付加し、前記リマインド情報生成部は、前記接続が確立した日時において未読である前記記事情報を検索するようにしてもよい。
【００１５】
前記情報管理サーバは、前記接続が確立した時点で既に提供済みの前記紙媒体に掲載されている前記記事情報に関する記事データと、前記接続が確立した時点で未だ提供されていない前記紙媒体に掲載される前記記事情報に関する記事データを、外部に接続された情報提供装置から予め提供されており、前記ユーザごとの履歴情報に基づいて前記予め提供されている前記記事データを検索して、前記記事データの中から、前記ユーザが前記クライアント機器を介して前記登録要請を送信していない前記記事情報を抽出し、抽出した前記記事情報をリコメンド情報とするリコメンド情報生成部を更に備えてもよい。
【００１６】
前記リコメンド情報生成部は、前記ユーザごとの履歴情報に記載されている、前記登録要請のあった前記記事情報に含まれる属性情報および前記記事情報取得要求のあった前記記事情報に含まれる属性情報の少なくとも何れか一方に基づいて前記記事データを検索し、前記記事データに関連付けられた属性情報が、前記履歴情報に含まれる前記属性情報と一致または類似するものを抽出するようにしてもよい。
【００１７】
前記情報管理サーバは、外部に接続された情報提供装置から、当該情報提供装置に記録されている商品またはサービスに関する広告情報が予め提供されており、前記リコメンド情報生成部は、前記ユーザごとの履歴情報に記載されている、前記登録要請のあった前記記事情報に含まれる属性情報および前記記事情報取得要求のあった前記記事情報に含まれる属性情報の少なくとも何れか一方に基づいて前記広告情報を検索し、前記広告情報に関連付けられた属性情報が、前記履歴情報に含まれる前記属性情報と一致または類似するものを抽出するようにしてもよい。
【００１８】
前記ユーザごとの履歴情報を集計し、当該集計結果を前記ユーザ情報に基づいて解析する履歴情報解析部を更に備えてもよい。
【００１９】
前記紙媒体が正規に購入されたものであるか否かを判定する媒体購入確認部を更に備え、前記紙媒体が正規に購入されたものである場合に、処理を実行するようにしてもよい。
【００２０】
前記紙媒体には、袋とじまたはスクラッチ式の隠蔽部が設けられ、前記袋とじの中または前記スクラッチ式の隠蔽部の下に前記紙媒体に固有の識別情報が記載されており、前記媒体購入確認部は、前記紙媒体に固有の識別情報に基づいて判定を行ってもよい。
【００２１】
前記媒体購入確認部は、前記登録要請を受信した日時から所定の期間が経過した後に、前記紙媒体に掲載されている他の記事に関する内容を確認するメールを前記クライアント機器に対して送信し、前記クライアント機器から適切な回答がない場合には、処理を実行しないようにしてもよい。
【００２２】
上記課題を解決するために、本発明の別の観点によれば、クライアント機器から送信された、紙媒体に掲載された記事に関する記事情報の登録要求に基づき、前記記事情報を、前記クライアント機器を利用したユーザに関するユーザ情報に関連づけて登録および管理する情報管理方法であって、前記記事情報を、前記クライアント機器を介して前記登録要求を送信したユーザに固有の識別番号と、前記登録要求を受信した日時とに関連づけて登録する記事情報登録ステップと、前記クライアント機器との間に接続が確立された際に、前記接続が確立した日時と前記登録されている記事情報の登録日時とに基づいて前記登録されている記事情報を所定の時間条件に従って検索し、前記所定の時間条件に該当する前記記事情報をリマインド情報として生成するとともに、前記リマインド情報を前記ユーザへと通知するリマインド情報生成ステップと、前記クライアント機器から、特定の前記ユーザに関連づけられて登録されている前記記事情報の取得を要求する記事情報取得要求が送信された際に、前記登録されている記事情報を前記ユーザへと通知する記事情報提供ステップと、を含む情報管理方法が提供される。
【００２３】
かかる構成によれば、記事情報登録ステップでは、記事情報を、クライアント機器を介して登録要求を送信したユーザに固有の識別番号と、登録要求を受信した日時とに関連づけて登録し、リマインド情報生成ステップでは、クライアント機器との間に接続が確立された際に、接続が確立した日時と登録されている記事情報の登録日時とに基づいて登録されている記事情報を所定の時間条件に従って検索し、所定の時間条件に該当する記事情報をリマインド情報として生成するとともに、リマインド情報をユーザへと通知する。また、記事情報提供ステップでは、クライアント機器から、特定のユーザに関連づけられて登録されている記事情報の取得を要求する記事情報取得要求が送信された際に、登録されている記事情報をユーザへと通知する。これにより、クライアント機器を操作しているユーザは、紙媒体に記載された記事を容易にスクラップすることができ、かつ、スクラップした内容の中から時節に応じた適切な記事を再読することが可能となる。
【００２４】
上記課題を解決するために、本発明の更に別の観点によれば、紙媒体に掲載された記事に関する記事情報の登録要求を送信するクライアント機器と、前記クライアント機器から送信された前記登録要求に基づき、前記記事情報を、前記クライアント機器を利用したユーザに関するユーザ情報に関連づけて登録および管理する情報管理サーバと、前記記事情報に関する記事データを前記情報管理サーバに提供する情報提供装置と、を含む情報管理システムであって、前記情報管理サーバは、前記記事情報を、前記クライアント機器を介して前記登録要求を送信したユーザに固有の識別番号と、前記登録要求を受信した日時とに関連づけて登録する記事情報登録部と、前記クライアント機器から、特定の前記ユーザに関連づけられて登録されている前記記事情報の取得を要求する記事情報取得要求が送信された際に、前記登録されている記事情報を前記クライアント機器へと通知する記事情報提供部と、前記クライアント機器との間に接続が確立された際に、前記接続が確立した日時と前記登録されている記事情報の登録日時とに基づいて前記登録されている記事情報を所定の時間条件に従って検索し、前記所定の時間条件に該当する前記記事情報をリマインド情報として生成するとともに、前記リマインド情報を前記クライアント機器へと通知するリマインド情報生成部と、前記ユーザに関するユーザ情報と、前記記事情報の登録履歴および前記登録されている記事情報の提供履歴に関する前記ユーザごとの履歴情報と、がそれぞれ記録される記憶部と、を備える情報管理システムが提供される。
【００２５】
前記クライアント機器は、前記記事に併せて掲載される記事特定情報に基づいて、登録を希望する前記記事情報を特定し、前記登録要請情報を生成してもよい。
【００２６】
前記記事特定情報は、前記記事に関する記事情報と、前記記事が掲載された前記紙媒体と、を特定する二次元バーコードであってもよい。
【００２７】
前記記事特定情報は、前記記事に関する記事情報と、前記記事が掲載された前記紙媒体と、を特定する固有の識別番号であってもよい。
【００２８】
前記情報管理サーバは、前記ユーザごとの履歴情報を集計し、当該集計結果を前記ユーザ情報に基づいて解析する履歴情報解析部を更に備え、前記履歴情報解析部は、前記履歴情報の解析結果を、前記情報提供装置に対して送信してもよい。
【００２９】
上記課題を解決するために、本発明の更に別の観点によれば、コンピュータを、クライアント機器から送信された、紙媒体に掲載された記事に関する記事情報の登録要求に基づき、前記記事情報を、前記クライアント機器を利用したユーザに関するユーザ情報に関連づけて登録および管理する情報管理サーバとして機能させるためのプログラムであって、前記記事情報を、前記クライアント機器を介して前記登録要求を送信したユーザに固有の識別番号と、前記登録要求を受信した日時とに関連づけて登録する記事情報登録機能と、前記クライアント機器から、特定の前記ユーザに関連づけられて登録されている前記記事情報の取得を要求する記事情報取得要求が送信された際に、前記登録されている記事情報を前記クライアント機器へと通知する記事情報提供機能と、前記クライアント機器との間に接続が確立された際に、前記接続が確立した日時と前記登録されている記事情報の登録日時とに基づいて前記登録されている記事情報を所定の時間条件に従って検索し、前記所定の時間条件に該当する前記記事情報をリマインド情報として生成するとともに、前記リマインド情報を前記クライアント機器へと通知するリマインド情報生成機能と、前記ユーザに関するユーザ情報と、前記記事情報の登録履歴および前記登録されている記事情報の提供履歴に関する前記ユーザごとの履歴情報と、をそれぞれ記録する機能と、をコンピュータに実現させるためのプログラムが提供される。
【００３０】
かかる構成によれば、コンピュータプログラムは、コンピュータが備える記憶部に格納され、コンピュータが備えるＣＰＵに読み込まれて実行されることにより、そのコンピュータを上記の情報管理サーバとして機能させる。また、コンピュータプログラムが記録された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークを介して配信してもよい。
【発明の効果】
【００３１】
本発明によれば、クライアント機器を操作しているユーザは、紙媒体に記載された記事を容易にスクラップすることができ、かつ、スクラップした内容の中から時節に応じた適切な記事を再読することが可能となる。
【発明を実施するための最良の形態】
【００３２】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３３】
なお、説明は、以下の順序で行うものとする。
（１）第１の実施形態
（１−１）情報管理システムについて
（１−２）情報管理サーバの構成について
（１−３）クライアント機器の構成について
（１−４）情報管理方法について
（１−５）ユーザ用ライブラリの表示画面の一例について
（２）本発明の各実施形態に係る情報管理サーバのハードウェア構成について
（３）まとめ
【００３４】
（第１の実施形態）
＜情報管理システムについて＞
まず、図１を参照しながら、本発明の第１の実施形態に係る情報管理システムについて、詳細に説明する。図１は、本実施形態に係る情報管理システムを説明するための説明図である。
【００３５】
なお、以下の説明において、「記事」とは、例えば、新聞、雑誌、フリーペーパー等の紙媒体に掲載されている、ある話題に関する図表や文章の集まり等を意味するものである。また、記事は、上述の新聞、雑誌、フリーペーパー等を構成するページの一部分を単位とするものであってもよく、新聞、雑誌、フリーペーパー等を構成するページ自体を単位とするものであってもよい。
【００３６】
本実施形態に係る情報管理システム１は、例えば図１に示したように、通信網３と、情報提供装置４と、ＧＰＳサーバ９と、情報管理サーバ１０と、クライアント機器２０Ａ，２０Ｂ，２０Ｃと、を含む。
【００３７】
通信網３は、情報提供装置４、情報管理サーバ１０、クライアント機器２０Ａ，２０Ｂ，２０Ｃそれぞれの間を、双方向通信又は一方向通信可能に接続する通信回線網である。この通信網は、例えば、インターネット、ＮＧＮ（Ｎｅｘｔ  Ｇｅｎｅｒａｔｉｏｎ  Ｎｅｔｗｏｒｋ）、電話回線網、衛星通信網、同報通信路等の公衆回線網や、ＷＡＮ（Ｗｉｄｅ  Ａｒｅａ  Ｎｅｔｗｏｒｋ）、ＬＡＮ（Ｌｏｃａｌ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）、Ｅｔｈｅｒｎｅｔ（登録商標）、ワイヤレスＬＡＮ等の専用回線網などで構成されており、有線／無線を問わない。
【００３８】
情報提供装置４は、例えば、新聞、雑誌、フリーペーパー等の紙媒体を利用した情報提供メディアを作成している出版社や、ある製品の広告を行う広告主などに設置されるパーソナルコンピュータやサーバ等のコンピュータ装置である。この情報提供装置４は、それぞれが提供している情報提供メディアや製品等に関する情報を、情報管理サーバ１０に提供する。これらの情報提供メディアや製品等に関する情報は、情報提供装置４に備えられた記憶部５に格納されている。
【００３９】
ＧＰＳサーバ９は、後述する情報管理サーバ１０やクライアント機器２０から、これらの機器が存在する場所に関する位置情報の提供を要請されると、地球の上空を周回しているＧＰＳ衛星を利用して、上述の位置情報を特定し、要請のあった機器に対して特定した位置情報を提供する。
【００４０】
情報管理サーバ１０は、後述するクライアント機器２０から紙媒体に記録された記事に関する登録要求を受信すると、該当する記事に関する記事情報を、クライアント機器２０を操作しているユーザに固有の識別番号に関連付けて登録する。また、クライアント機器２０から、特定のユーザに関連付けられてスクラップされている記事の閲覧を希望する旨の要求が送信された場合には、クライアント機器２０に対して、該当する記事の記事情報を提供する。また、クライアント機器２０との接続が確立した際に、クライアント機器２０を操作しているユーザに対して再提示すべき記事情報が存在する場合には、情報管理サーバ１０は、自動的に該当する記事情報をクライアント機器２０に対して提供する。
【００４１】
クライアント機器２０は、ユーザがスクラップを希望する紙媒体に記録された記事に関する情報を情報管理サーバ１０に通知し、該当する記事に関する記事情報を情報管理サーバ１０に登録させる。また、ユーザによる操作に応じて、情報管理サーバ１０にスクラップされている記事の閲覧を行う。このクライアント機器２０は、パーソナルコンピュータやサーバ等のコンピュータ装置であってもよく、テレビジョン受像器、ＤＶＤ／ＨＤＤレコーダ、携帯電話、ＰＤＡ（Ｐｅｒｓｏｎａｌ  Ｄｉｇｉｔａｌ  Ａｓｓｉｓｔａｎｔ）、デジタルカメラ、家庭用ゲーム機、デジタルビデオカメラ等のネットワークを介した通信機能を有する情報家電であってもよい。また、クライアント機器２０は、契約者が持ち運びできるポータブルデバイス（Ｐｏｒｔａｂａｌｅ  Ｄｅｖｉｃｅ）、例えば、携帯型ゲーム機、ＰＨＳ、携帯型映像／音声プレーヤなどであってもよい。また、クライアント機器２０は、各種のサーバ等からデータを取得して表示する、いわゆる電子ペーパーのようなものであってもよい。
【００４２】
なお、上記情報管理サーバ１０およびクライアント機器２０については、以下で改めて詳細に説明する。
【００４３】
また、図１には、３台のクライアント機器２０しか図示されていないが、本実施形態にかかる情報管理サーバ１０に接続可能なクライアント機器２０の台数は、図示した例に限定されるわけではない。同様に、情報管理サーバ１０に各種情報を提供することが可能な情報提供装置４の台数についても、図１に示した台数に限定されるわけではない。
【００４４】
＜情報管理サーバについて＞
続いて、図２〜図８を参照しながら、本実施形態に係る情報管理サーバの構成について、詳細に説明する。図２〜図７は、本実施形態に係る情報管理サーバの構成を説明するためのブロック図である。図８は、本実施形態に係る履歴情報解析部について説明するための説明図である。
【００４５】
本実施形態に係る情報管理サーバ１０は、例えば図２に示したように、送受信部１０１と、復号部１０３と、要求情報判定部１０５と、正当性判断部１０７と、ユーザ認証部１０９と、媒体購入確認部１１１と、記事情報登録部１１３と、リマインド情報生成部１１５と、記事情報提供部１１７と、リコメンド情報生成部１１９と、履歴情報解析部１２１と、記憶部１２３と、を主に備える。
【００４６】
［送受信部について］
送受信部１０１は、例えば、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）、通信装置等から構成されている。送受信部１０１は、通信網３を介して接続されている情報提供装置４、ＧＰＳサーバ９およびクライアント機器２０から情報管理サーバ１０に対して送信される各種データの受信制御や、情報管理サーバ１０から情報提供装置４、ＧＰＳサーバ９およびクライアント機器２０へと送信される各種データの送信制御を行う。
【００４７】
［復号部について］
復号部１０３は、例えば、ＣＰＵ、ＲＯＭ、ＲＡＭ等から構成されており、情報提供装置４やクライアント機器２０から送信されたデータが暗号化されていた場合に、暗号化されているデータの復号処理を行う。また、復号部１０３は、暗号化されたデータの復号に際して、後述する記憶部１２３に記録されている各種パラメータやプログラム等を利用することが可能である。復号部１０３は、復号の完了したデータを、後述する要求情報判定部１０５に伝送する。また、復号部１０３は、復号の完了したデータを、復号処理の完了した時間等に関連付けて、記憶部１２３に記録してもよい。
【００４８】
［要求情報判定部について］
要求情報判定部１０５は、例えば、ＣＰＵ、ＲＯＭ、ＲＡＭ等から構成されており、後述するクライアント機器２０から送信された各種の要求情報を参照して、クライアント機器２０が要求している処理（さらに詳細には、クライアント機器２０が要求している情報）が何かを判定する。
【００４９】
例えば、クライアント機器２０から、ある紙媒体６に記載されていた記事に関する記事情報の登録を希望する記事情報の登録要求が送信された場合には、要求情報判定部１０５は、受信した要求情報の内容を判定し、受信した要求情報が記事情報の登録要求であることを特定する。その後、要求情報判定部１０５は、登録要求であると特定した要求情報を、後述する正当性判断部１０７へと伝送する。
【００５０】
また、クライアント機器２０から、既に登録されている記事情報の取得を要求する記事情報取得要求が送信された場合には、要求情報判定部１０５は、受信した要求情報の内容を判定し、受信した要求情報が記事情報取得要求であることを特定する。その後、要求情報判定部１０５は、記事情報取得要求であると特定した要求情報を、後述する正当性判断部１０７へと伝送する。
【００５１】
なお、要求情報判定部１０５は、受信した要求情報の判定に際して、後述する記憶部１２３に記録されている各種のパラメータやデータベース等を参照することが可能である。
【００５２】
［正当性判断部について］
正当性判断部１０７は、例えば、ＣＰＵ、ＲＯＭ、ＲＡＭ等から構成されており、クライアント機器２０から送信された各種の要求情報の正当性を判断する。後述するように、クライアント機器２０から送信される要求情報には、データの正当性を判断するためのチェックデジットが付加されている。そのため、正当性判断部１０７は、情報管理サーバ１０とクライアント機器２０との間で予め取り決められた方法に従ってチェックデジットを判定することで、受信した要求情報にデータの誤りや改ざんの有無を判断することができる。
【００５３】
正当性判断部１０７は、要求情報判定部１０５から伝送された要求情報のチェックデジットを判定して、データの誤り等があると判断した場合には、要求情報に記載されている処理を行わずに、処理を中断する。また、データの誤り等がないと判断した場合には、正当性判断部１０７は、要求情報判定部１０５から伝送された要求情報を、後述するユーザ認証部１０９に伝送する。
【００５４】
［ユーザ認証部について］
ユーザ認証部１０９は、例えば、ＣＰＵ、ＲＯＭ、ＲＡＭ等から構成されており、情報管理サーバ１０に初めてアクセスするユーザに対して、識別番号（ＩＤ）やパスワードを発行するとともに、情報管理サーバ１０にアクセスするユーザの認証処理を行う。
【００５５】
より詳細には、情報管理サーバ１０に初めてアクセスするユーザに対して、ユーザ認証部１０９は、所定の方法に則ってユーザＩＤとパスワードを生成して、クライアント機器２０を操作するユーザに対して通知する。また、生成した識別番号であるユーザＩＤとパスワードは、後述する記憶部１２３に記録されているユーザ情報データベースに、新たなユーザ情報として記録する。また、ユーザ認証部１０９は、記憶部１２３内に、新たにＩＤを発行したユーザ用のデータ格納領域を確保する。また、ユーザ認証部１０９は、情報管理サーバ１０へのアクセスに利用したクライアント機器２０に固有の識別番号（例えば、モバイル端末固有番号など）を、ユーザＩＤに関連付けて記録してもよい。クライアント機器２０に固有の識別番号をユーザＩＤに関連付けて登録することで、ユーザＩＤやパスワードの入力の代わりに、クライアント機器２０から送信される機器固有の識別番号を用いることで、ユーザログインの処理を省略することも可能である。
【００５６】
また、ユーザＩＤを有するユーザがクライアント機器２０を操作して、情報管理サーバ１０にアクセスしてきた場合には、ユーザ認証部１０９は、正当性判断部１０７から伝送された要求情報に含まれるユーザＩＤとパスワードの認証を行う。認証に際しては、ユーザ認証部１０９は、記憶部１２３に記録されているユーザ情報データベースを参照して、要求情報に含まれるユーザＩＤとパスワードが正規のものであるか否かを判定する。要求情報に含まれるユーザＩＤとパスワードが正規のものである場合には、ユーザ認証部１０９は、正当性判断部１０７から伝送された要求情報に記載された処理を実行するための処理部へと、要求情報を伝送する。また、ユーザ認証部１０９は、ユーザＩＤとパスワードが正規のものであった場合には、クライアント機器２０による当該ユーザＩＤを有するユーザ専用のＷＥＢページへのアクセスを許可して、クライアント機器２０の表示部にユーザ専用のＷＥＢページを表示させてもよい。
【００５７】
なお、ユーザ認証部１０９は、ユーザの認証処理を行った日時に関する時刻情報を、情報管理サーバ１０へのアクセス履歴情報として、記憶部１２３に記録してもよい。
【００５８】
［媒体購入確認部について］
媒体購入確認部１１１は、例えば、ＣＰＵ、ＲＯＭ、ＲＡＭ等から構成されており、情報管理サーバ１０が、新聞や雑誌など、有料の紙媒体６に掲載されている記事に対する処理を行う場合に、ユーザが正規に紙媒体６を購入したのか否かを確認する確認処理を行う。この媒体購入確認部１１１は、例えば図３に示したように、媒体存在チェック部１２５と、購入済媒体情報登録部１２７と、購入済媒体情報検索部１２９と、位置情報チェック部１５９と、を更に備える。
【００５９】
媒体存在チェック部１２５は、例えば、記事の登録要請等と共にクライアント機器２０から送信された媒体識別情報を参照し、当該媒体識別情報に合致する紙媒体６が存在するか否かを判定する。
【００６０】
ここで、図２に示したような紙媒体６に記載されている媒体識別情報は、個々の紙媒体６に固有のものであり、紙媒体６の名前（例えば、新聞名、雑誌名、フリーペーパー名）を特定するための媒体コードと、紙媒体６の巻数（例えば、第○巻、第×号など）を特定するための巻号コードと、ユーザが手にした紙媒体６そのものを特定するための固有識別番号と、を少なくとも含む。この固有識別番号は、個々の紙媒体６に固有の番号であり、例えば、ランダムな数字の羅列で構成される。
【００６１】
また、媒体識別情報のみによる判定だけでなく、媒体識別情報と、当該媒体識別情報に対応するパスワードとの組み合わせにより、購入済みか否かの判定を行っても良い。
【００６２】
ここで、紙媒体の未購入者からの登録要請を防止するために、媒体識別情報や登録用パスワードを、袋とじの中またはスクラッチ式の隠蔽部の下に記載しておくことも可能である。ここでスクラッチ式の隠蔽部とは、不透明な隠蔽層によって所定の情報を被覆し、隠蔽層の下に存在する所定の情報を、不可視なものとするものであり、不透明な隠蔽層を爪やコインなどによって削ることにより、所定の情報が見えるようになるものである。このような場所に媒体識別情報などを記載しておくことで、立ち読みなどの際に未購入者が記事情報を登録しようとすることを防止することができる。これ以外にも、とりあえず媒体識別情報の登録要請を受け付けておき、所定の期日が経過した後に、紙媒体に掲載されている他の記事に関する内容を確認するメールをクライアント機器に対して送信してもよい。また、上述のような方法を組み合わせて用いることも可能である。このような方法によっても、立ち読みなどの際に未購入者が記事情報を登録しようとすることを防止することができる。
【００６３】
なお、このような媒体識別情報は、上述のようなコード等が埋め込まれたバーコードであってもよく、例えばＱＲコードのような二次元バーコードであってもよい。また、媒体識別情報は、上述のようなバーコード等に限定されるわけではなく、上述のようなコード等に対応する識別番号やＲＦＩＤタグ等であってもよい。また、媒体識別情報は、上述のようなコード類の組み合わせと１対１に関連付けられた、特定の登録コードであってもよい。
【００６４】
媒体存在チェック部１２５は、記憶部１２３に予め登録されている記事情報データベースを参照し、クライアント機器２０から送信された媒体識別情報に記載されている媒体コードと巻号コードとが記事情報データベースに存在するかをチェックする。これらのコードが記事情報データベースに存在する場合には、当該コードに関連づけられている媒体ジャンルに関する情報（例えば、グルメ雑誌、旅行雑誌など）を取得する。取得した媒体ジャンルに関する情報は、後述する購入済媒体情報登録部１２７に伝送される。
【００６５】
位置情報チェック部１５９は、クライアント機器２０から送信された記事の登録要請の中に、この登録要請を送信した際にクライアント機器２０が存在した場所に関する位置情報が付加されていた場合に、付加されていた位置情報が、予め記憶部１２３に記録されている位置情報データベースに記載されているか否かをチェックする。
【００６６】
記憶部１２３に記録されている位置情報データベースは、記事が掲載されている紙媒体６を、正規に購入せずに閲覧可能な場所のＧＰＳデータが記載されているデータベースである。このような場所の例として、紙媒体の立ち読みや回し読みが可能な場所である、書店や、コンビニエンスストアや、マンガ喫茶等を挙げることができる。
【００６７】
位置情報チェック部１５９は、記載されていた位置情報が、上述の位置情報データベースに記載されているものであった場合には、ユーザが紙媒体を正規に購入していない可能性があるとして、エラーを表示したり、処理を中断したりすることが可能である。また、このような場合には、紙媒体に掲載されている他の記事に関する内容を確認するメールをクライアント機器に対して送信するなどして、再確認処理を行っても良い。
【００６８】
また、記載されていた位置情報が、上述の位置情報データベースに記載されていなかった場合には、ユーザは紙媒体を正規に購入したと判断し、判断結果を後述する購入済媒体情報登録部１２７に伝送する。
【００６９】
なお、クライアント機器２０から送信された記事の登録要請の中に、クライアント機器２０の存在場所に関する位置情報を取得するための位置情報取得要求とＧＰＳサーバ９のＵＲＬとが記載されていた場合には、位置情報チェック部１５９は、ＵＲＬが通知されたＧＰＳサーバ９に対して位置情報の取得要求を送信して、クライアント機器２０の存在場所に関する位置情報を取得してもよい。
【００７０】
購入済媒体情報登録部１２７は、ユーザが既に購入している紙媒体６に関する情報を購入済媒体情報として記憶部１２３に登録する。記憶部１２３に登録された購入済媒体情報は、後述する購入済媒体情報検索部１２９などの処理部が自由に参照することが可能である。この購入済媒体情報は、例えば、以下の表１に示したような項目から構成される。なお、以下の表１に示した項目は、あくまでも一例であって、本実施形態に係る購入済媒体情報の項目が、以下の例に限定されるわけではない。
【００７１】
【表１】
2010033267.tif 000003
【００７２】
購入済媒体情報検索部１２９は、本実施形態に係る情報管理サーバ１０の他の処理部から、クライアント機器２０から送信された要請情報等で指定されている紙媒体６が既に購入されているかどうかについて問い合わせがあった場合に、問い合わせの合った紙媒体が購入済媒体情報に記録されているか否かを検索する。購入済媒体情報は、上記表２に示したように、ユーザＩＤ毎に生成されている情報であるため、購入済媒体情報検索部１２９は、指定されたユーザＩＤと、媒体コードとに基づいて、問い合わせのあった紙媒体が登録されているか否かを検索することができる。
【００７３】
［記事情報登録部について］
記事情報登録部１１３は、例えば、ＣＰＵ、ＲＯＭ、ＲＡＭ等から構成されており、クライアント機器２０から送信された登録要請で指定された記事情報を、記憶部１２３に登録する。記事情報登録部１１３は、まず、登録要請で指定された記事情報を含む紙媒体６について、購入済媒体情報検索部１２９に検索を要請し、紙媒体６が正規に購入されたものか否かを調査する。紙媒体６が正規に購入されたものである場合には、記事情報登録部１１３は、登録要請で指定された記事情報の登録処理を実施する。この記事情報登録部１１３は、例えば図４に示したように、記事情報照合部１３１と、ライブラリ登録部１３３と、行動履歴情報登録部１３５と、を更に備える。
【００７４】
記事情報照合部１３１は、登録要請で指定された記事情報と、記憶部１２３に格納されている記事情報データベースとを照合し、指定された記事情報が記事情報データベースに存在するか否かを判定する。該当する記事情報がデータベースに存在しない場合には、記事情報照合部１３１は、クライアント機器２０にエラーを通知して、処理を終了してもよい。また、該当する記事情報がデータベースに存在する場合には、記事情報データベースを参照して、該当する記事情報の記事ＩＤを取得する。記事情報照合部１３１は、取得した記事ＩＤを、後述するライブラリ登録部１３３に伝送する。
【００７５】
ここで、記事情報データベースは、例えば以下に示す表２のような項目から構成されている。なお、以下の表２に示した項目は、あくまでも一例であって、本実施形態に係る記事情報データベースの項目が、以下の例に限定されるわけではない。
【００７６】
【表２】
2010033267.tif 000004
【００７７】
上記表２に示したように、記事情報データベースには、出版社を特定するための出版社コードと、その出版社から発行されている媒体を特定するための媒体コードとが含まれる。また、媒体ごとに、グルメ関係の媒体、旅行関係の媒体のように、媒体ジャンルが指定されている。また、このデータベースには、媒体の巻号ごとに、掲載されている記事の名前や、記事に含まれる画像データの所在情報（ＵＲＬなど）や、記事のジャンルや、ページ番号等が、記事ＩＤと関連づけられて掲載されている。また、各記事について、当該記事が対象としている年月、場所、人物、事項等が掲載されている。ここで、記事対象人物の中には、例えば、その媒体が対象とする人物の性別、年代、居住地、年収、職業、家族構成等に関する情報も含む。
【００７８】
このような記事情報データベースに記載されている各項目の内容は、紙媒体の提供者が有する情報提供装置４から、情報管理サーバ１０に対して、予め送信され、記事情報データベースとして記憶部１２３に登録されている。
【００７９】
また、表２に示したような記事情報データベースの項目の何れかを、登録を希望する記事を特定するための記事特定情報として利用することで、本実施形態に係る記事管理システムにおいて、容易に登録を希望する記事を特定することが可能となる。
【００８０】
ライブラリ登録部１３３は、ユーザから登録要請のあった記事情報を格納するライブラリを生成するとともに、ユーザから登録要請がある毎に、指定された記事情報を生成されたライブラリに格納する。ライブラリ登録部１３３は、初めて情報管理サーバ１０にアクセスしたユーザが存在した場合には、当該ユーザに固有のユーザＩＤに関連づけて、記憶部１２３内に、ユーザ用のデータ格納領域に、当該ユーザ用のライブラリを生成する。また、記事情報照合部１３１から、登録要請に指定されていた記事情報に該当する記事ＩＤが伝送された場合には、ユーザＩＤと記事ＩＤとを関連づけてライブラリに記録し、記事ＩＤに該当する記事を、ユーザが閲覧可能なように設定する。
【００８１】
行動履歴情報登録部１３５は、ライブラリ登録部１３３がライブラリに記事ＩＤの記録を行うと、当該記事ＩＤと、この記事ＩＤに対応する記事のジャンルと、記事登録時刻情報とを関連づけ、ユーザの行動履歴情報として、記憶部１２３に記録する。この行動履歴情報は、本実施形態に係る情報管理サーバ１０の各処理部が、自由に参照可能である。
【００８２】
また、記事情報登録部１１３は、ユーザＩＤと関連付けられて記録されているユーザ用ライブラリの中から、クライアント機器２０を介したユーザの指示や、情報管理サーバ１０の管理者の指示等に基づいて、指定された記事の登録を削除することも可能である。
【００８３】
［リマインド情報生成部について］
リマインド情報生成部１１５は、例えば、ＣＰＵ、ＲＯＭ、ＲＡＭ等から構成されており、クライアント機器２０との間に接続が確立された際に、接続が確立した日時と登録されている記事情報の登録日時とに基づいて、登録されている記事情報を所定の時間条件に従って検索し、所定の時間条件に該当する記事情報を、リマインド情報として生成する。このリマインド情報生成部１１５は、例えば図５に示したように、リマインド情報検索部１３７と、検索結果出力部１３９と、を更に備える。
【００８４】
リマインド情報検索部１３７は、情報管理サーバ１０とクライアント機器２０との間で接続が確立された際に、接続が確立した日時（以下、接続確立日時とも称する。）と、登録されている記事情報の登録日時とに基づいて、登録されている記事情報の中から所定の時間条件に該当するものを検索する。所定の時間条件に合致する記事情報が登録されていた場合には、リマインド情報検索部１３７は、検索結果を、後述する検索結果出力部１３９へと通知する。
【００８５】
ここで、上記時間条件の例として、以下のような条件を挙げることができる。
（１）接続確立日時が、月末から所定期間前または月初から所定期間の間に該当
（２）接続確立日時が、月末から所定期間前または月初から所定期間ではなく、曜日が日曜日〜水曜日である
（３）接続確立日時が、月末から所定期間前または月初から所定期間ではなく、曜日が木曜日〜土曜日である
【００８６】
例えば、接続確立日時が、月末から５日前または月初から５日間に該当する場合（すなわち、上記（１）の条件に該当する場合）には、リマインド情報検索部１３７は、ユーザのライブラリを検索して、接続確立日時と同月の記事対象年月を有する記事情報を抽出する。この際に、グルメ、旅行、レジャー、美容、料理のレシピなどの媒体ジャンルを属性情報として有している記事情報を、優先的に抽出することが好ましい。例えば、接続確立日時が２００８年７月１日である場合に、リマインド情報検索部１３７は、２００７年７月、２００６年７月・・・など、接続確立日時と同一の月を記事対象年月としている記事情報を、全て抽出する。これにより、例年の同じ時期に、どのようなイベント等に関心を持っていたかをユーザは再確認することができ、ユーザは情報を今年の行動に利用することができる。
【００８７】
また、接続確立日時が、上記（２）の条件に該当する場合には、リマインド情報検索部１３７は、ユーザの記事情報の参照履歴を検索し、参照の履歴がない記事（すなわち、未だ再読されていない記事）を抽出する。条件（２）に該当するのは、月末でも月初でもない、普通のウィークデーであるため、参照履歴のない記事をリマインド情報として提供することで、ユーザに登録したままで読んでいない記事について、記憶を呼び覚ますことができる。
【００８８】
また、接続確立日時が、上記（３）の条件に該当する場合には、リマインド情報検索部１３７は、ユーザのライブラリを検索し、グルメ、旅行、レジャー、美容、料理のレシピなど、休日との関連性の高い記事ジャンルを属性情報として有する記事を抽出する。これにより、ユーザは、既に登録してある記事情報の内容を、週末の予定の立案に役立てることができる。
【００８９】
なお、祝日のように、週末ではない時期に休日がある場合には、条件の設定を変更することも可能である。
【００９０】
リマインド情報検索部１３７は、このようにして抽出された記事情報を、リマインド情報として生成し、検索結果出力部１３９に伝送する。また、リマインド情報検索部１３７は、検索結果と当該結果が得られた時刻に関する時刻情報とに関連づけて、記憶部１２３にログ情報として記録してもよい。
【００９１】
検索結果出力部１３９は、リマインド情報検索部１３７によって生成されたリマインド情報を、クライアント機器２０を介してユーザに通知する。ユーザへの通知は、情報管理サーバ１０からクライアント機器２０へメールなどを配信する方式で行っても良く、クライアント機器２０が閲覧するユーザ用のＷＥＢページ等に、リマインド情報を表示させる方式で行っても良い。
【００９２】
［記事情報提供部について］
記事情報提供部１１７は、例えば、ＣＰＵ、ＲＯＭ、ＲＡＭ等から構成されており、クライアント機器２０から、特定のユーザに関連づけられて登録されている記事情報の取得を要求する記事情報取得要求が送信された際に、登録されている記事情報をユーザへと通知する。この記事情報提供部１１７は、例えば図６に示したように、記事ＩＤ検索部１４１と、記事データ検索部１４３と、結果出力部１４５と、行動履歴情報登録部１４７と、を更に備える。
【００９３】
記事ＩＤ検索部１４１は、クライアント機器２０から送信された記事情報取得要求に記載されているユーザＩＤに基づいて、ユーザ固有のライブラリにアクセスし、登録されている記事の記事ＩＤを検索する。また、この検索条件では、あるユーザが登録した記事情報が全て抽出されてしまうため、記事登録年月日や記事参照年月日等の検索条件を合わせて検索条件として、絞り込み検索を行うことも可能である。
【００９４】
記事ＩＤ検索部１４１は、該当する記事情報の記事ＩＤを取得すると、取得した記事ＩＤを、後述する記事データ検索部１４３へと伝送する。また、記事ＩＤ検索部１４１は、記事ＩＤの検索を行った時刻と検索条件等を関連づけて、検索ログ情報として、記憶部１２３に記録してもよい。
【００９５】
記事データ検索部１４３は、記事ＩＤ検索部１４１から伝送された記事ＩＤに基づいて、記憶部１２３に記録されている記事情報データベースを検索し、上記表２に記載されているような項目を基に、該当する記事データを取得する。次に、記事データ検索部１４３は、取得した記事データの中から、記事が掲載されている紙媒体の媒体名と、その紙媒体の巻号に関する情報と、該当する記事名と、を順に番号付けし、後述する結果出力部１４５に出力する。
【００９６】
また、クライアント機器２０を操作しているユーザにより、結果の一覧の中から内容を確認したい記事が特定されると、記事データ検索部１４３は、指定された記事の記事ＩＤに基づいて取得した記事データを検索し、該当する記事の記事内容を結果出力部１４５に出力する。
【００９７】
結果出力部１４５は、記事データ検索部１４３によって抽出された情報を、クライアント機器２０を介してユーザに通知する。ユーザへの通知は、情報管理サーバ１０からクライアント機器２０へメールなどを配信する方式で行っても良く、クライアント機器２０が閲覧するユーザ用のＷＥＢページ等に、抽出された記事情報を表示させる方式で行っても良い。
【００９８】
行動履歴情報登録部１４７は、記事データ検索部１４３が結果出力部１４５に記事内容の出力を行うと、記事内容の出力を行った記事の記事ＩＤと、この記事ＩＤに対応する記事のジャンルと、記事参照時刻情報（すなわち、記事参照年月日）とを関連づけ、ユーザの行動履歴情報として、記憶部１２３に記録する。この行動履歴情報は、本実施形態に係る情報管理サーバ１０の各処理部が、自由に参照可能である。
【００９９】
［リコメンド情報生成部について］
リコメンド情報生成部１１９は、例えば、ＣＰＵ、ＲＯＭ、ＲＡＭ等から構成されており、ユーザごとの履歴情報（行動履歴情報）に基づいて、予め提供されている記事情報データを検索して、記事情報データの中から、ユーザが登録要請を送信していない記事情報を抽出し、抽出した記事情報をリコメンド情報とする。このリコメンド情報生成部１１９は、例えば図７に示したように、新刊データ情報取得部１４９と、ユーザ嗜好情報生成部１５１と、新刊データ情報検索部１５３と、バックナンバーデータ情報検索部１５５と、検索結果出力部１５７と、を更に備える。
【０１００】
新刊データ情報取得部１４９は、外部に接続された情報提供装置４から送信された、当該情報提供装置４に記録されている紙媒体に関する新刊データを取得する。ここで、新刊データとは、クライアント機器２０との接続が確立した時点において未だ提供されていない紙媒体に掲載される記事に関する記事情報を意味する。また、情報提供装置４が、未だ提供されていない紙媒体に掲載される記事に関する記事情報を送信する時点は、任意の時点に設定することが可能であるが、例えば、新たな紙媒体の提供日の２週間前等にすることができる。
【０１０１】
新刊データ情報取得部１４９は、取得した新刊データを、記憶部１２３に格納されている記事情報データベースに追加記載する。また、新たに取得した新刊データよりも前に取得していた記事情報に対して、新刊データ情報取得部１４９は、バックナンバーデータとして取り扱うための付加情報を記事情報データベースに追加記載する。ここで、バックナンバーデータとは、クライアント機器２０との接続が確立した時点において提供中の紙媒体に掲載されている記事に関する記事情報、および、接続が確立した時点において既に提供が終了している紙媒体に掲載されている記事に関する記事情報を意味する。
【０１０２】
ユーザ嗜好情報生成部１５１は、ユーザに固有のライブラリに登録されている記事情報に基づいて、当該ユーザの嗜好や興味の強い記事のジャンルを抽出し、抽出した記事ジャンルに関する情報をユーザ嗜好情報として生成する。ユーザの嗜好や興味の強い記事のジャンルを抽出する方法は、特定の方法に限定されるわけではないが、例えば、以下のような方法を用いることが可能である。
【０１０３】
ユーザ嗜好情報生成部１５１は、記録部１２３に記録されている行動履歴情報を参照して、記事登録年月日に応じて、ポイント付けを行う。このポイント付けは、リコメンド情報を生成する日時を基準日とし、この基準日に近いものほど高いポイントが付くように設定される。これは、記事登録年月日が基準日に近いものほど、ユーザの興味や嗜好が強い記事であると考えられるためである。このポイント付けの設定例として、例えば、以下のような設定が可能である。
【０１０４】
登録年月日が基準日から１週間以内：５ポイント
登録年月日が基準日から２週間以内：４ポイント
登録年月日が基準日から３週間以内：３ポイント
登録年月日が基準日から１ヶ月以内：２ポイント
登録年月日が基準日から３ヶ月以内：１ポイント
【０１０５】
次に、ユーザ嗜好情報生成部１５１は、記事ＩＤに基づいて記事情報データベースを参照し、該当する記事ＩＤの記事が、どのようなジャンルの記事であるかを判定する。続いて、ユーザ嗜好情報生成部１５１は、記事ジャンルに基づいてポイント付けの終了した記事情報を分類し、記事ジャンルごとに、合計ポイントを算出する。
【０１０６】
例えば、ライブラリに、以下の表３に示したような５つの記事情報が登録されている場合を考える。ここで、基準日を２００８年６月３日である場合には、登録年月日に基づいて、各記事情報には、表３に示したようなポイントが付与される。
【０１０７】
【表３】
2010033267.tif 000005
【０１０８】
表３に示した場合では、記事ジャンル「レジャー」が合計ポイント１となり、記事ジャンル「グルメ」が合計４ポイントとなり、記事ジャンル「旅行」が合計４ポイントとなり、記事ジャンル「ファッション」が合計５ポイントとなる。
【０１０９】
次に、ユーザ嗜好情報生成部１５１は、合計ポイントの値が大きい上位３つの記事ジャンルを選択する。この際に、同ポイントの記事ジャンルが存在する場合には、登録年月日が基準日により近いものを、上位とする。
【０１１０】
例えば、上記表３に示した例では、記事ジャンル「ファッション」が１位となり、記事ジャンル「旅行」が２位となり、記事ジャンル「グルメ」が３位となる。
【０１１１】
ユーザ嗜好情報生成部１５１は、このように決定された上位３つの記事ジャンルを、ユーザの嗜好や興味の強い記事のジャンルと判定し、ユーザ嗜好情報とする。ユーザ嗜好情報は、例えば、ユーザＩＤと、ユーザ嗜好情報の生成年月日と、１位〜３位までの記事ジャンルと、を情報として含む。
【０１１２】
ユーザ嗜好情報生成部１５１は、このように生成されたユーザ嗜好情報を、後述する新刊データ情報検索部１５３と、バックナンバーデータ情報検索部１５５と、にそれぞれ伝送する。また、ユーザ嗜好情報生成部１５１は、生成されたユーザ嗜好情報を、記憶部１２３に記録してもよい。
【０１１３】
新刊データ情報検索部１５３は、ユーザ嗜好情報生成部１５１が生成したユーザ嗜好情報に基づいて新刊データ情報を検索し、ユーザ嗜好情報に記載されている記事ジャンルに該当する記事を抽出する。この記事の抽出処理は、例えば、以下のような手順で行われる。
【０１１４】
まず、新刊データ情報検索部１５３は、記事情報データベースを参照して、リコメンド情報の生成日（例えば、クライアント機器２０との接続が確立した日）からカウントして所定の期間以内（例えば、２週間以内）に発売される紙媒体に関するものがあるか否かを検索する。この検索は、記事情報データベースの記事発行年月日に関する項目に着目することで実行可能である。該当する記事情報が存在しない場合には、新刊データ情報検索部１５３は、条件を緩めて（例えば、１ヶ月以内）、再度検索を行う。条件を緩めた場合であっても該当するものが存在しない場合には、新刊データ情報検索部１５３は、該当するデータがないとして、処理を終了する。
【０１１５】
次に、新刊データ情報検索部１５３は、記事発行年月日に関する条件に合致した記事情報について、リコメンド情報を生成するユーザに関するユーザ属性情報を利用しながら、記事対象人物に記載されている内容（例えば、性別、年代、居住地、年収、職業、家族構成など）を検索条件にして、再度検索を行う。これにより、新刊データ情報を提供した出版社が該当する紙媒体に対してどのようなユーザ層をターゲットとしているか、といった、出版社側の思惑を反映させることができる。
【０１１６】
次に、新刊データ情報検索部１５３は、記事発行年月日および記事対象人物の条件に合致した記事情報の中から、ユーザ嗜好情報に記載されている記事ジャンルを有するものを抽出する。このような処理を行うことで、新刊データ情報検索部１５３は、リコメンド情報として記載される記事情報を抽出することが可能となる。
【０１１７】
新刊データ情報検索部１５３は、上述のような方法により抽出された記事情報を、後述する検索結果出力部１５７に出力する。
【０１１８】
バックナンバーデータ情報検索部１５５は、ユーザ嗜好情報生成部１５１が生成したユーザ嗜好情報に基づいてバックナンバーデータ情報を検索し、ユーザ嗜好情報に記載されている記事ジャンルに該当する記事を抽出する。この記事の抽出処理は、例えば、以下のような手順で行われる。
【０１１９】
まず、バックナンバーデータ情報検索部１５５は、記事情報データベースを参照して、リコメンド情報を生成するユーザに関するユーザ属性情報を利用しながら、記事対象人物に記載されている内容（例えば、性別、年代、居住地、年収、職業、家族構成など）を検索条件にして、記事情報の検索を行う。これにより、紙媒体を提供した出版社が該当する紙媒体に対してどのようなユーザ層をターゲットとしているか、といった、出版社側の思惑を反映させることができる。
【０１２０】
次に、バックナンバーデータ情報検索部１５５は、記事対象人物の条件に合致した記事情報の中から、ユーザ嗜好情報に記載されている記事ジャンルを有するものを抽出する。このような処理を行うことで、バックナンバーデータ情報検索部１５５は、リコメンド情報として記載される記事情報を抽出することが可能となる。
【０１２１】
また、上述のような手段で、バックナンバー情報が取得できない場合には、バックナンバーデータ情報検索部１５５は、以下のような手段を用いて、バックナンバーデータ情報の検索をやり直す。
【０１２２】
まず、バックナンバーデータ情報検索部１５５は、基準日についての判定を行い、基準日が、月末から所定期間前または月初から所定期間の間に該当するか否かを判定する。基準日がこの期間に該当する場合には、バックナンバーデータ情報検索部１５５は、記事情報データベースを参照して、記事発行年月日が基準日よりも１年以上前のものであり、かつ、基準日と同じ月に発行されたものを全て取得する。また、この際に、グルメ、旅行、レジャー、美容、料理のレシピなど、季節との関連性の高いジャンルの記事情報を、優先的に取得するようにしてもよい。
【０１２３】
また、基準日が、月末から所定期間前または月初から所定期間の間に該当しない場合には、グルメ、旅行、レジャー、美容、料理のレシピなど、休日との関連性の高いジャンルの記事情報を取得する。
【０１２４】
バックナンバーデータ情報検索部１５５は、上述のような方法により抽出された記事情報を、後述する検索結果出力部１５７に出力する。
【０１２５】
検索結果出力部１５７は、新刊データ情報検索部１５３およびバックナンバーデータ情報検索部１５５から伝送された記事情報を取りまとめてリコメンド情報とし、クライアント機器２０を介してユーザに通知する。ユーザへの通知は、情報管理サーバ１０からクライアント機器２０へメールなどを配信する方式で行っても良く、クライアント機器２０が閲覧するユーザ用のＷＥＢページ等に、リマインド情報を表示させる方式で行っても良い。
【０１２６】
なお、バックナンバーデータ情報が、有料の紙媒体６に記載されている情報である場合には、リコメンド情報生成部１１９は、バックナンバーデータ情報の提供を行う際に、記事ごと、または、バックナンバーデータ情報が記載されている紙媒体全体に対して課金を行って、ユーザによって購入してもらうようにすることも可能である。なお、バックナンバーデータ情報のみならず、新刊データ情報についても同様に課金を行い、ユーザによって購入してもらうようにすることも可能である。
【０１２７】
また、情報管理サーバ１０の記憶部１２３に、外部に接続された情報提供装置４から、当該情報提供装置４に記録されている商品またはサービスに関する広告情報が予め提供されている場合には、この広告情報をリコメンド情報として、記事情報と連動させてユーザに提供することも可能である。
【０１２８】
この場合に、リコメンド情報生成部１１９は、ユーザごとの履歴情報（行動履歴情報）に記載されている、登録要請のあった記事情報に含まれる属性情報および記事情報取得要求のあった記事情報に含まれる属性情報の少なくとも何れか一方に基づいて広告情報を検索し、広告情報に関連付けられた属性情報が、履歴情報に含まれる属性情報と一致または類似するものを抽出する。また、上記属性情報以外にも、ユーザ嗜好情報を用いて広告情報の抽出を行うことも可能である。リコメンド情報生成部１１９は、このようにして抽出された広告に関するリコメンド情報を、記事の登録要請に対する結果出力や、記事情報取得要求に対する結果出力の際に併せて提供する。このような処理を行うことで、広告主は、ユーザの行動履歴に応じて最適な広告配信を行うことが可能となる。また、紙媒体６での広告（例えば、雑誌広告）と、リコメンド情報による広告とを間接的に連携させることができるため、紙媒体だけでの認知だけでなく、リコメンド情報による広告によっても広告主を認知させることが可能となり、高い広告効果を得ることができる。
【０１２９】
［履歴情報解析部について］
履歴情報解析部１２１は、例えば、ＣＰＵ、ＲＯＭ、ＲＡＭ等から構成されており、個々のユーザに関する行動履歴情報を集計し、集計結果をユーザ情報に基づいて解析する。従来、ユーザ情報や、ユーザの嗜好情報等を収集するためには、アンケートの配布・収集とその解析など、多大なコストが必要であったが、本実施形態に係る情報管理サーバ１０では、個々のユーザの行動履歴情報を解析することで、このようなユーザ情報やユーザの嗜好情報を容易に得ることが可能である。この集計結果を、情報管理サーバ１０に情報を提供している情報提供装置４に提供することで、情報提供装置４の使用者である出版社や広告主は、ユーザが購読している雑誌の傾向や、興味のある事項などを知ることが出来る。これらの情報を活用することで、情報の提供側である出版社や広告主も、効果的な経営戦略を立案することが可能となる。
【０１３０】
また、履歴情報解析部１２１は、本実施形態に係る情報管理サーバ１０と接続している、信頼のおける情報提供装置４に対して、情報管理サーバ１０のユーザのユーザ情報を提供することも可能である。このユーザ情報を、情報提供装置４が実行しようとしているネット上でのアンケート等に利用することで、情報提供装置４が実施しているアンケート等にユーザが回答を行う際、情報管理サーバ１０から提供されたユーザ状態を予め入力された状態にすることも可能となる。
【０１３１】
例えば、履歴情報解析部１２１は、各ユーザの行動履歴情報を集計して、記事コンテンツ毎の参照数（ページビュー数）を、更にユーザの属性（例えば、性別、年代、居住地、年収、職業、家族構成など）で分類する。例えば図８に示したように、「グルメ」という記事ジャンルに属している記事を、更に第２カテゴリに示したようなジャンルで分類し、それぞれのページビュー数を解析する。また、第２カテゴリに示した各ジャンルについて、ユーザの属性で再区分を行うと、図８に示したように、各カテゴリに属する情報が、どのようなユーザに興味を持たれているのかを知ることが可能である。履歴情報解析部１２１は、このような情報を情報提供装置４に提供することが可能である。
【０１３２】
［記憶部について］
記憶部１２３には、情報管理サーバ１０において生成される各種の履歴情報が記録される。また、記憶部１２３には、ユーザ毎のデータ格納領域が形成されている。また、記憶部１２３には、本実施形態に係る情報管理サーバ１０が、何らかの処理を行う際に保存する必要が生じた様々なパラメータや処理の途中経過等、または、各種のデータベース等が、適宜記録されてもよい。また、この記憶部１２３は、送受信部１０１が、送受信用バッファとして利用することも可能である。この記憶部１２３は、送受信部１０１、復号部１０３、要求情報判定部１０５、正当性判断部１０７、ユーザ認証部１０９、媒体購入確認部１１１、記事情報登録部１１３、リマインド情報生成部１１５、記事情報提供部１１７、リコメンド情報生成部１１９、履歴情報解析部１２１等が、自由に読み書きを行うことが可能である。
【０１３３】
以上、本実施形態に係る情報管理サーバ１０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１３４】
＜クライアント機器について＞
続いて、図９を参照しながら、本実施形態に係るクライアント機器の構成について、詳細に説明する。図９は、本実施形態に係るクライアント機器の構成を説明するためのブロック図である。
【０１３５】
本実施形態に係るクライアント機器２０は、例えば図９に示したように、読取部２０１と、読取データ解析部２０３と、入力部２０５と、要求情報生成部２０７と、暗号化部２０９と、情報取得部２１１と、表示制御部２１３と、送受信部２１５と、記憶部２１７と、を主に備える。
【０１３６】
読取部２０１は、例えば、ＣＰＵ、ＲＯＭ、ＲＡＭ、撮像装置等から構成されており、新聞、雑誌、フリーペーパー等の紙媒体６に記載されている記事を特定するための記事特定情報８が記載されている記事特定情報記載部７を撮像して、電子データである読取データを生成する。生成された読取データは、後述する読取データ解析部２０３に伝送される。また、読取部２０１は、生成した読取データを、当該データの生成時刻等と関連付けて、後述する記憶部２１７に記録してもよい。
【０１３７】
ここで、紙媒体６には、例えば、紙媒体の提供者（例えば、出版社等）により、予めこれらの記事特定情報８が埋め込まれている。
【０１３８】
ここで、紙媒体６に設けられた記事特定情報記載部７は、例えば図１０（ａ）に示したように、上述のようなコード等が埋め込まれたバーコード７ａであってもよく、例えばＱＲコードのような二次元バーコード７ａであってもよい。また、記事特定情報記載部７は、上述のようなバーコード等に限定されるわけではなく、上述のようなコード等に対応する識別番号やＲＦＩＤタグ等であってもよい。また、紙媒体６に設けられた記事特定情報記載部７は、例えば図１０（ｂ）に示したような、上述のようなコード類の組み合わせと１対１に関連付けられた、特定の登録コードであってもよく、図１０（ｃ）に示したような、紙媒体の名前と巻号とページ数そのものであってもよい。
【０１３９】
また、紙媒体６が、市販されている雑誌などの有料媒体である場合には、読取部２０１は、紙媒体６を正規に購入した旨を情報管理サーバ１０に対して登録するために、紙媒体に固有の媒体識別情報を読み取って、読取データを生成してもよい。
【０１４０】
読取データ解析部２０３は、例えば、ＣＰＵ、ＲＯＭ、ＲＡＭ等から構成されており、読取部２０１から伝送された読取データを解析して、上述の媒体コード、巻号コード、媒固有識別番号、記事特定情報等を特定する。特定された媒体コード、巻号コード、固有識別番号、記事特定情報等のコード類は、後述する要求情報生成部２０７に伝送される。また、読取データ解析部２０３は、上述のコード類を、当該コード類の特定時刻等と関連付けて、後述する記憶部２１７に記録してもよい。
【０１４１】
入力部２０５は、例えば、ＣＰＵ、ＲＯＭ、ＲＡＭ、入力装置等から構成されており、クライアント機器２０を操作しているユーザが入力装置に対して行った操作を、所定の信号に変換する。この入力部２０５には、ユーザによって、例えば、ユーザ固有の識別番号（ＩＤ）やパスワードが入力されたり、情報管理サーバ１０に対して要請する各種処理を特定するための操作が入力されたりする。ユーザによって行われたこれらの操作は、入力部２０５によって所定の信号に変換され、後述する要求情報生成部２０７に伝送される。また、入力部２０５は、生成した各種の信号を、信号の生成時間等に関連付けて、後述する記憶部２１７に記録してもよい。
【０１４２】
要求情報生成部２０７は、例えば、ＣＰＵ、ＲＯＭ、ＲＡＭ等から構成されており、入力部２０５から伝送された入力データと、読取データ解析部２０３から伝送された、紙媒体６を特定するためのコード類と、後述する記憶部２１７等に記録されているクライアント機器２０に固有の識別番号等とを用いて、情報管理サーバ１０に処理を依頼するための要求情報を生成する。
【０１４３】
例えば、ユーザにより、特定の記事を情報管理サーバ１０に登録する旨の操作が入力部２０５になされた場合には、要求情報生成部２０７は、入力部２０５から伝送されるユーザの識別番号やパスワードと、読取データ解析部２０３から伝送される紙媒体６に掲載されている記事を特定するためのコード類と、記憶部２１７に格納されているクライアント機器２０に固有の識別番号（例えば、モバイル端末固有番号など）とを用いて、記事の登録要求を生成する。
【０１４４】
また、ユーザにより、既に情報管理サーバ１０に登録されている記事の閲覧を希望する旨の操作が入力部２０５になされた場合には、要求情報生成部２０７は、入力部２０５から伝送される識別番号やパスワードと、登録されている記事を特定するための情報と、記憶部２１７に格納されているクライアント機器２０に固有の識別番号とを用いて、記事情報取得要求を生成する。
【０１４５】
また、紙媒体６が、購入を前提とするもの（例えば、市販の雑誌など）であり、ユーザにより、正規の購入者である旨を登録する操作がなされた場合には、要求情報生成部２０７は、読取データ解析部２０３または入力部２０５から伝送される媒体識別情報と、入力部２０５から伝送されるユーザの識別番号やパスワードとを用いて、正規購入者である旨の登録要求を生成する。
【０１４６】
これらの要求情報以外にも、ユーザにより入力部２０５に入力された操作に応じて、各種の要求情報が生成される。
【０１４７】
また、上述のような要求情報が生成されると、要求情報生成部２０７は、生成した要求情報に対して、チェックデジット（ｃｈｅｃｋ  ｄｉｇｉｔ）を付加する。要求情報に対してチェックデジットを付加することで、生成された要求情報の誤り検出や改ざん検出を容易に行うことが可能となり、生成される要求情報のセキュリティを向上させることができる。
【０１４８】
なお、要求情報生成部２０７は、ＧＰＳサーバ９にアクセスして本実施形態に係るクライアント機器２０が存在する場所に関する位置情報を取得し、取得したクライアント機器２０の位置情報を、上述の要求情報に対して付加してもよい。位置情報が付加された要求情報を生成することで、要求情報を受信した情報管理サーバ１０は、付加された位置情報に基づいて、紙媒体が正規に購入されたものか否かを判断することが可能となる。
【０１４９】
この際、要求情報生成部２０７は、ＧＰＳサーバ９から取得したクライアント機器２０の存在場所に関する位置情報そのものを、要求情報に対して付加してもよい。また、要求情報生成部２０７は、クライアント機器２０の存在場所に関する位置情報を取得するための位置情報取得要求とＧＰＳサーバ９のＵＲＬとを要求情報に付加し、情報管理サーバ１０がＧＰＳサーバ９にアクセスして、クライアント機器２０の存在場所に関する位置情報を取得してもよい。
【０１５０】
要求情報生成部２０７は、生成した要求情報を、後述する暗号化部２０９に伝送する。また、要求情報生成部２０７は、生成した要求情報を、当該要求情報の生成時刻等と関連付けて、後述する記憶部２１７に記録してもよい。
【０１５１】
暗号化部２０９は、例えば、ＣＰＵ、ＲＯＭ、ＲＡＭ等から構成されており、要求情報生成部２０７から伝送された要求情報を、所定の方式に則って暗号化し、暗号化された要求情報とする。暗号化部２０９で用いられる暗号化方法は、特定の方法に限定されるわけではなく、要求情報の暗号化は、情報管理サーバ１０との間で予め取り決められた方法に則って行われる。暗号化部２０９は、要求情報の暗号化に際して、後述する記憶部２１７に予め格納されている各種パラメータやプログラム等を利用することが可能である。生成された暗号化済みの要求情報は、後述する送受信部２１５を介して情報管理サーバ１０に伝送される。また、暗号化部２０９は、暗号化された要求情報を、暗号化処理が完了した時刻情報に関連付けて、後述する記憶部２１７に記録してもよい。
【０１５２】
情報取得部２１１は、例えば、ＣＰＵ、ＲＯＭ、ＲＡＭ等から構成されており、情報管理サーバ１０から送信された記事情報や、スクラップした記事が掲載されているＷＥＢページのアドレスや各種データ等を、送受信部２１５を介して取得する。また、取得したデータが暗号化されている場合には、情報取得部２１１は、所定の方式に則って復号処理を行うことが可能である。取得した記事情報やＷＥＢページのアドレスや各種のデータは、後述する表示制御部２１３に伝送される。また、情報取得部２１１は、取得した記事情報等を、情報の取得時刻等と関連付けて、後述する記憶部２１７に記録してもよい。
【０１５３】
なお、情報取得部２１１は、上述のような記事情報の取得機能（ダウンロード機能）に加えて、例えばＷＥＢページに表示されている記事データを編集する機能を備えてもよい。また、情報取得部２１１は、クライアント機器２０にダウンロードされている記事データを、情報管理サーバ１０上で管理されている記事データに同期させる機能を備えてもよい。情報取得部２１１が、このような記事データのダウンロード機能や、編集機能や、同期機能を有することで、クライアント機器２０のユーザは、快適な操作環境を得ることができ、本実施形態に係る情報管理システムを有効に活用することができる。
【０１５４】
表示制御部２１３は、例えば、ＣＰＵ、ＲＯＭ、ＲＡＭ等から構成されており、情報取得部２１１から伝送された記事情報の内容や、情報管理サーバ１０にスクラップされている記事が掲載されているＷＥＢページの内容等を、クライアント機器２０の表示部（図示せず。）に表示する際の表示制御を行う。
【０１５５】
送受信部２１５は、例えば、ＣＰＵ、ＲＯＭ、ＲＡＭ、通信装置等から構成されている。送受信部２１５は、通信網３を介して接続されているＧＰＳサーバ９および情報管理サーバ１０に対して送信される各種データの送信制御や、ＧＰＳサーバ９および情報管理サーバ１０からクライアント機器２０へと送信される各種データの受信制御を行う。
【０１５６】
記憶部２１７には、クライアント機器２０に固有の識別番号が記録されている。また、記憶部２１７には、本実施形態に係るクライアント機器２０が、何らかの処理を行う際に保存する必要が生じた様々なパラメータや処理の途中経過等、または、各種のデータベース等が、適宜記録されてもよい。また、この記憶部２１７は、送受信部２１５が、送受信用バッファとして利用することも可能である。この記憶部２１７は、読取部２０１、読取データ解析部２０３、入力部２０５、要求情報生成部２０７、暗号化部２０９、情報取得部２１１、表示制御部２１３、送受信部２１５等が、自由に読み書きを行うことが可能である。
【０１５７】
以上、本実施形態に係るクライアント機器２０の機能の一例を示した。上記の各構成要素は、汎用的な部材や回路を用いて構成されていてもよいし、各構成要素の機能に特化したハードウェアにより構成されていてもよい。また、各構成要素の機能を、ＣＰＵ等が全て行ってもよい。従って、本実施形態を実施する時々の技術レベルに応じて、適宜、利用する構成を変更することが可能である。
【０１５８】
＜情報管理方法について＞
続いて、図１１〜図１５を参照しながら、本実施形態に係る情報管理サーバ１０が実施する情報管理方法について、詳細に説明する。図１１〜図１５は、本実施形態に係る情報管理方法を説明するための流れ図である。
【０１５９】
［全体の流れ］
本実施形態に係る情報管理サーバ１０では、まず、送受信部１０１が、クライアント機器２０から送信されたデータを受信し、復号部１０３に伝送する。復号部１０３は、受信したデータの復号を行い（ステップＳ１０１）、要求情報判定部１０５に伝送する。
【０１６０】
次に、要求情報判定部１０５は、復号の終了した要求情報の内容を判定し（ステップＳ１０３）、クライアント機器２０のユーザが希望する処理の内容を判別し、希望する処理の内容を記憶しておく。また、要求情報判定部１０５は、内容の判定が終了した要求情報を、正当性判断部１０７に伝送し、正当性判断部１０７では、例えばチェックデジットの確認等の処理によって、データの正当性を判定する（ステップＳ１０５）。
【０１６１】
要求情報判定部１０５は、データに誤り等がなかった場合には、要求情報とともに送信されたユーザ情報（ユーザＩＤとパスワード）をユーザ認証部１０９に伝送し、ユーザ認証部１０９では、ユーザ認証処理を実施する（ステップＳ１０７）。要求情報を送信したユーザが正規のユーザである場合には、ユーザ認証部１０９は、要求情報に記載されている処理を実行する処理部へ、要求情報を伝送する。また、ユーザが正規のユーザではない場合には、情報管理サーバ１０は処理を中止する。
【０１６２】
次に、媒体購入確認部１１１は、紙媒体６が有料媒体である場合には、紙媒体６が正規に購入されたものであるか否かを確認する（ステップＳ１０９）。紙媒体６が正規に購入されたものではない場合には、情報管理サーバ１０は処理を中止する。また、紙媒体６が正規に購入されたものである場合には、媒体購入確認部１１１は、処理を実行している各処理部に対して、正規の購入者である旨を伝送する。
【０１６３】
次に、リマインド情報生成部１１５は、クライアント機器２０５と接続が確立した日時と、登録されている記事情報の登録日時とに基づいて、リマインド情報を生成する（ステップＳ１１１）。生成したリマインド情報は、クライアント機器２０を介してユーザに通知される。
【０１６４】
また、要求情報に記載された処理内容に応じて、情報管理サーバ１０の処理部は、処理を実行する（ステップＳ１１３）。
【０１６５】
このような処理を実行することで、クライアント機器を操作しているユーザは、紙媒体に記載された記事を容易にスクラップすることができ、かつ、スクラップした内容の中から時節に応じた適切な記事を再読することが可能となる。
【０１６６】
［リマインド情報の生成処理の流れ］
次に、図１２を参照しながら、リマインド情報の生成処理の流れについて、説明する。
【０１６７】
リマインド情報生成部１１５のリマインド情報検索部１３７は、まず、クライアント機器２０との間に接続が確立した日時を特定する（ステップＳ２０１）。続いて、リマインド情報生成部１１５は、特定した接続確立日時が、（１）接続確立日時が、月末から所定期間前または月初から所定期間の間に該当する、（２）接続確立日時が、月末から所定期間前または月初から所定期間ではなく、曜日が日曜日〜水曜日である、（３）接続確立日時が、月末から所定期間前または月初から所定期間ではなく、曜日が木曜日〜土曜日である、のいずれに該当するかを判定する（ステップＳ２０３）。
【０１６８】
接続確立日時が、月末から所定期間前または月初から所定期間の間に該当する場合には、リマインド情報検索部１３７は、ユーザのライブラリを参照して、接続確立日時と同月の記事対象年月を有する記事を、全て取得する（ステップＳ２０５）。
【０１６９】
また、接続確立日時が、月末から所定期間前または月初から所定期間ではなく、曜日が日曜日〜水曜日である場合には、リマインド情報検索部１３７は、ユーザのライブラリを参照して、参照履歴のない記事情報を取得する（ステップＳ２０７）。
【０１７０】
また、接続確立日時が、月末から所定期間前または月初から所定期間ではなく、曜日が木曜日〜土曜日である場合には、リマインド情報検索部１３７は、ユーザのライブラリを参照して、休日に関連性の高い記事情報を取得する（ステップＳ２０９）。
【０１７１】
次に、検索結果出力部１３９は、取得した記事情報を、リマインド情報として通知する（ステップＳ２１１）。
【０１７２】
このような処理を行うことで、リマインド情報生成部１１５は、ユーザに提供するリマインド情報を生成する。
【０１７３】
［記事情報の登録処理の流れ］
次に、図１３を参照しながら、記事情報の登録処理の流れについて、説明する。
【０１７４】
まず、記事情報登録部１１３の記事情報照合部１３１は、記事の登録要請に指定されている記事データと、記事情報データベースとを比較して、登録要請に指定されている記事が存在しているか否かを確認する（ステップＳ３０１）。
【０１７５】
次に、ライブラリ登録部１３３は、記事情報の登録処理を要求してきたユーザに固有のライブラリが存在するか否かを判定する（ステップＳ３０３）。ユーザ用ライブラリが存在しない場合には、ライブラリ登録部１３３は、記憶部１２３に、ライブラリ用のデータ格納領域を確保して、ライブラリの生成処理を行う（ステップＳ３０５）。また、ユーザ用ライブラリが存在している場合には、ライブラリ登録部１３３は、登録要請に指定されている記事情報を、ライブラリに登録する（ステップＳ３０７）。
【０１７６】
次に、行動履歴情報登録部１３５は、ライブラリに登録した記事情報に関する内容を、行動履歴情報として生成し、記憶部１２３に記録するとともに（ステップＳ３０９）、記事情報を登録した旨を通知する（ステップＳ３１１）。
【０１７７】
このような処理を行うことで、記事情報登録部１１３は、ユーザの指定した記事情報をユーザに固有のライブラリに登録することができる。
【０１７８】
［記事情報の提供処理の流れ］
次に、図１４を参照しながら、記事情報の提供処理の流れについて、説明する。
【０１７９】
まず、記事情報提供部１１７の記事ＩＤ検索部１４１は、ユーザから指定された条件に従ってユーザ用ライブラリを検索して、クライアント機器２０から送信された記事情報提供要求に記載されている条件に該当する記事情報が登録されているか否かを判定する（ステップＳ４０１）。条件に該当する記事情報が登録されている場合には、記事ＩＤ検索部１４１は、記事情報データベースを参照して、該当する記事の記事ＩＤを検索する（ステップＳ４０３）。続いて、記事データ検索部１４３は、該当する記事ＩＤに関する記事データを検索し、記事名や、サムネイルデータなど、検索結果の一覧表示に必要なデータを取得する（ステップＳ４０５）。
【０１８０】
続いて、結果出力部１４５は、記事データ検索部１４３から伝送された検索結果の一覧を、クライアント機器２０を介してユーザに通知する（ステップＳ４０７）。
【０１８１】
ユーザが、検索結果の一覧の中から、ある記事情報を選択し、詳細な内容を要求してきた場合には、記事データ検索部１４３は、記事情報データベースを参照して、指定された記事の記事データを取得する（ステップＳ４０９）。また、行動履歴情報登録部１４７は、ユーザに関する行動履歴情報を生成し、記憶部１２３に記録する（ステップＳ４１１）。
【０１８２】
続いて、結果出力部１４５は、記事データ検索部１４３から伝送された、記事情報の詳細な内容を、クライアント機器２０を介してユーザに通知する（ステップＳ４１３）。
【０１８３】
このような処理を行うことで、記事情報提供部１１７は、ユーザの指定した登録済みの記事情報を、ユーザに対して提供することができる。
【０１８４】
［リコメンド情報の生成処理の流れ］
次に、図１５を参照しながら、リコメンド情報の生成処理の流れについて、説明する。
【０１８５】
まず、リコメンド情報生成部１１９のユーザ嗜好情報生成部１５１は、記録部１２３に記録されている行動履歴情報を参照して、記事登録年月日に応じて、ポイント付けを行い、付加されたポイントに基づいて、ユーザ嗜好情報を生成する（ステップＳ５０１）。次に、新刊データ情報取得部１４９が取得しておいた新刊データ情報と、ユーザ嗜好情報とに基づいて、新刊データ情報検索部１５３は新刊データ情報の検索を行い（ステップＳ５０３）、条件に該当する記事データを取得する（ステップＳ５０５）。
【０１８６】
また、バックナンバーデータ情報検索部１５５は、バックナンバーフラグが設定されている新刊データ情報（すなわち、バックナンバーフラグが設定されている記事情報データベース）と、ユーザ嗜好情報とに基づいて、バックナンバーデータ情報の検索を行い（ステップＳ５０７）、条件に該当する記事データを取得する（ステップＳ５０９）。なお、バックナンバーデータ情報を有料にしている場合には、記事データの取得は、料金の支払が終了したのちに実行される。
【０１８７】
次に、検索結果出力部１５７は、取得した記事データを、リコメンド情報として生成し、クライアント機器２０を介してリコメンド情報をユーザに通知する（ステップＳ５１１）。
【０１８８】
このような処理を行うことで、リコメンド情報生成部１１９は、ユーザの嗜好に合致した記事情報等を、リコメンド情報としてユーザに提供することができる。
【０１８９】
なお、リコメンド情報生成部１１９は、ユーザ嗜好情報に基づいて、ユーザに対して各種の広告を提供することも可能である。
【０１９０】
＜ユーザ用ライブラリの表示画面の一例＞
次に、図１６を参照しながら、ユーザ用に設定されるライブラリをＷＥＢページとして閲覧する場合における表示画面の一例を、詳細に説明する。図１６は、本実施形態に係る情報管理サーバ１０が提供する情報提供画面の一例を説明するための説明図である。
【０１９１】
ユーザ用ライブラリを表示するためのＷＥＢページ３０１は、例えば図１６に示したように、登録記事が表示される登録記事表示領域３０３と、リコメンド情報が表示されるリコメンド情報表示領域３０５と、各種の広告が表示される広告表示領域３０７と、を備える。
【０１９２】
また、ＷＥＢページ３０１には、ユーザのログイン・ログアウト用のボタンや、記事登録用のボタンなどの操作ボタン３０９が配置されている。
【０１９３】
さらに、表示画面には、登録記事を検索するための検索キーワード３１１や、検索キーワードを入力するためのキーワード入力欄３１３や、検索開始ボタン３１５等も配置されている。
【０１９４】
このような表示領域がユーザ用ライブラリに対応するＷＥＢページとして形成されることにより、ユーザは、登録した記事情報の閲覧を容易に行うことが可能となる。
【０１９５】
また、本実施形態に係る情報管理サーバ１０の所有者は、上述の広告表示領域３０７の利用に関する契約を広告主との間で交わし、登録記事表示領域３０３に表示された記事が掲載されていた紙媒体に、契約を交わした広告主が掲載していた広告記事を、広告表示領域３０７に優先的に表示するようにすることも可能である。
【０１９６】
かかる処理を実現するために、まず、広告主が保持している情報提供装置４は、広告主が広告を掲載した紙媒体と、当該紙媒体に掲載された広告に関する広告情報とが関連付けられたデータベースを、情報管理サーバ１０に予め提供する。情報管理サーバ１０は、登録記事表示領域３０３に記事を表示する際に、記憶部１２３に記録されているデータベースを参照して、記事が掲載されていた紙媒体を特定し、更に、広告主が保持している情報提供装置４から提供されたデータベースを利用して、特定した紙媒体に掲載されていた広告情報を抽出する。これにより、情報管理サーバ１０は、広告表示領域３０７に、紙媒体に掲載された広告と連動した広告を表示させることが可能となる。
【０１９７】
これにより、広告情報を提供した広告主は、紙媒体に掲載した広告のみでは得られなかった接触頻度（フリークエンシー）の向上を図ることが可能となり、ひいては、掲載された商品やサービスの認知度を向上させたり、助成したりすることができる。
【０１９８】
また、情報管理サーバ１０は、広告表示領域３０７に表示された広告に、広告主が管理しているホームページ等をリンクしてもよい。このようなリンクを設定することにより、掲載された商品やサービスに興味を持ったユーザは、広告表示領域３０７に掲載された広告をクリックすることで、広告主のホームページ等にアクセスすることが可能となる。このようなリンクが設定されることで、広告主は、従来の雑誌広告等と比べて、ユーザの誘導を容易に行うことが可能となるとともに、紙媒体に掲載した広告の効果を、指標値として把握することが可能となる。
【０１９９】
＜ハードウェア構成について＞
次に、図１７を参照しながら、本発明の各実施形態に係る情報管理サーバ１０のハードウェア構成について、詳細に説明する。図１７は、本発明の各実施形態に係る情報管理サーバ１０のハードウェア構成を説明するためのブロック図である。
【０２００】
情報管理サーバ１０は、主に、ＣＰＵ９０１と、ＲＯＭ９０３と、ＲＡＭ９０５と、ホストバス９０７と、ブリッジ９０９と、外部バス９１１と、インターフェース９１３と、入力装置９１５と、出力装置９１７と、ストレージ装置９１９と、ドライブ９２１と、接続ポート９２３と、通信装置９２５とを備える。
【０２０１】
ＣＰＵ９０１は、演算処理装置および制御装置として機能し、ＲＯＭ９０３、ＲＡＭ９０５、ストレージ装置９１９、またはリムーバブル記録媒体９２７に記録された各種プログラムに従って、情報管理サーバ１０内の動作全般またはその一部を制御する。ＲＯＭ９０３は、ＣＰＵ９０１が使用するプログラムや演算パラメータ等を記憶する。ＲＡＭ９０５は、ＣＰＵ９０１の実行において使用するプログラムや、その実行において適宜変化するパラメータ等を一次記憶する。これらはＣＰＵバス等の内部バスにより構成されるホストバス９０７により相互に接続されている。
【０２０２】
ホストバス９０７は、ブリッジ９０９を介して、ＰＣＩ（Ｐｅｒｉｐｈｅｒａｌ  Ｃｏｍｐｏｎｅｎｔ  Ｉｎｔｅｒｃｏｎｎｅｃｔ／Ｉｎｔｅｒｆａｃｅ）バスなどの外部バス９１１に接続されている。
【０２０３】
入力装置９１５は、例えば、マウス、キーボード、タッチパネル、ボタン、スイッチおよびレバーなどユーザが操作する操作手段である。また、入力装置９１５は、例えば、赤外線やその他の電波を利用したリモートコントロール手段（いわゆる、リモコン）であってもよいし、情報管理サーバ１０の操作に対応した携帯電話やＰＤＡ等の外部接続機器９２９であってもよい。さらに、入力装置９１５は、例えば、上記の操作手段を用いてユーザにより入力された情報に基づいて入力信号を生成し、ＣＰＵ９０１に出力する入力制御回路などから構成されている。情報管理サーバ１０のユーザは、この入力装置９１５を操作することにより、情報管理サーバ１０に対して各種のデータを入力したり処理動作を指示したりすることができる。
【０２０４】
出力装置９１７は、例えば、ＣＲＴディスプレイ装置、液晶ディスプレイ装置、プラズマディスプレイ装置、ＥＬディスプレイ装置およびランプなどの表示装置や、スピーカおよびヘッドホンなどの音声出力装置や、プリンタ装置、携帯電話、ファクシミリなど、取得した情報をユーザに対して視覚的または聴覚的に通知することが可能な装置で構成される。出力装置９１７は、例えば、情報管理サーバ１０が行った各種処理により得られた結果を出力する。具体的には、表示装置は、情報管理サーバ１０が行った各種処理により得られた結果を、テキストまたはイメージで表示する。他方、音声出力装置は、再生された音声データや音響データ等からなるオーディオ信号をアナログ信号に変換して出力する。
【０２０５】
ストレージ装置９１９は、情報管理サーバ１０の記憶部の一例として構成されたデータ格納用の装置であり、例えば、ＨＤＤ（Ｈａｒｄ  Ｄｉｓｋ  Ｄｒｉｖｅ）等の磁気記憶部デバイス、半導体記憶デバイス、光記憶デバイス、または光磁気記憶デバイス等により構成される。このストレージ装置９１９は、ＣＰＵ９０１が実行するプログラムや各種データ、および外部から取得した各種のデータなどを格納する。
【０２０６】
ドライブ９２１は、記録媒体用リーダライタであり、情報管理サーバ１０に内蔵、あるいは外付けされる。ドライブ９２１は、装着されている磁気ディスク、光ディスク、光磁気ディスク、または半導体メモリ等のリムーバブル記録媒体９２７に記録されている情報を読み出して、ＲＡＭ９０５に出力する。また、ドライブ９２１は、装着されている磁気ディスク、光ディスク、光磁気ディスク、または半導体メモリ等のリムーバブル記録媒体９２７に記録を書き込むことも可能である。リムーバブル記録媒体９２７は、例えば、ＤＶＤメディア、ＨＤ−ＤＶＤメディア、Ｂｌｕ−ｒａｙメディア、コンパクトフラッシュ（登録商標）（ＣｏｍｐａｃｔＦｌａｓｈ：ＣＦ）、メモリースティック、または、ＳＤメモリカード（Ｓｅｃｕｒｅ  Ｄｉｇｉｔａｌ  ｍｅｍｏｒｙ  ｃａｒｄ）等である。また、リムーバブル記録媒体９２７は、例えば、非接触型ＩＣチップを搭載したＩＣカード（Ｉｎｔｅｇｒａｔｅｄ  Ｃｉｒｃｕｉｔ  ｃａｒｄ）または電子機器等であってもよい。
【０２０７】
接続ポート９２３は、例えば、ＵＳＢ（Ｕｎｉｖｅｒｓａｌ  Ｓｅｒｉａｌ  Ｂｕｓ）ポート、ｉ．Ｌｉｎｋ等のＩＥＥＥ１３９４ポート、ＳＣＳＩ（Ｓｍａｌｌ  Ｃｏｍｐｕｔｅｒ  Ｓｙｓｔｅｍ  Ｉｎｔｅｒｆａｃｅ）ポート、ＲＳ−２３２Ｃポート、光オーディオ端子、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ポート等の、機器を情報管理サーバ１０に直接接続するためのポートである。この接続ポート９２３に外部接続機器９２９を接続することで、情報管理サーバ１０は、外部接続機器９２９から直接各種データを取得したり、外部接続機器９２９に各種のデータを提供したりする。
【０２０８】
通信装置９２５は、例えば、通信網９３１に接続するための通信デバイス等で構成された通信インターフェースである。通信装置９２５は、例えば、有線または無線ＬＡＮ（Ｌｏｃａｌ  Ａｒｅａ  Ｎｅｔｗｏｒｋ）、Ｂｌｕｅｔｏｏｔｈ、またはＷＵＳＢ（Ｗｉｒｅｌｅｓｓ  ＵＳＢ）用の通信カード、光通信用のルータ、ＡＤＳＬ（Ａｓｙｍｍｅｔｒｉｃ  Ｄｉｇｉｔａｌ  Ｓｕｂｓｃｒｉｂｅｒ  Ｌｉｎｅ）用のルータ、または、各種通信用のモデム等である。この通信装置９２５は、例えば、インターネットや他の通信機器との間で、例えばＴＣＰ／ＩＰ等の所定のプロトコルに則して信号等を送受信することができる。また、通信装置９２５に接続される通信網９３１は、有線または無線によって接続されたネットワーク等により構成され、例えば、インターネット、家庭内ＬＡＮ、赤外線通信、ラジオ波通信または衛星通信等であってもよい。
【０２０９】
以上、本発明の各実施形態に係る情報管理サーバ１０の機能を実現可能なハードウェア構成の一例を示した。上記の各構成要素は、汎用的な部材を用いて構成されていてもよいし、各構成要素の機能に特化したハードウェアにより構成されていてもよい。従って、本実施形態を実施する時々の技術レベルに応じて、適宜、利用するハードウェア構成を変更することが可能である。
【０２１０】
また、本発明の各実施形態に係るクライアント機器２０のハードウェア構成は、本発明の各実施形態に係る情報管理サーバ１０のハードウェア構成とほぼ同一であり、同様の効果を奏するため、詳細な説明は省略する。
【０２１１】
＜まとめ＞
本発明の各実施形態に係る情報管理サーバ１０は、例えば図１８に示したように、ユーザが紙媒体に掲載されている記事をスクラップしておくためのスクラップブックとして機能する記事管理機能と、広告主から提供される各種の商品やサービスに関する広告を管理し、ユーザに提供するための広告管理機能と、を有する。
【０２１２】
本発明の各実施形態に係る情報管理サーバ１０は、紙媒体を出版する出版社が備えた情報提供装置４から、紙媒体に関する記事データＤ１を取得して、記事情報データベースとして管理する。また、本発明の各実施形態に係る情報管理サーバ１０は、広告の掲載を希望する広告主が備えた情報提供装置４から、広告に関する情報Ｄ２を取得して、管理する。
【０２１３】
情報管理サーバ１０は、ユーザから、ユーザ用ライブラリに登録されている記事情報の提示を要請された場合には、管理している記事情報、リマインド情報、リコメンド情報等の記事データＤ３を、クライアント機器２０を介してユーザに提供する。また、記事データＤ３の提供にあわせて、ユーザの嗜好や提示する記事情報等の内容に関連性の高い広告データＤ４の提供を行う。
【０２１４】
他方、情報管理サーバ１０では、ユーザの行動に関する履歴を保存して、解析を行うことが可能であり、このような行動履歴解析により得られたユーザの動向Ｄ５を、広告主に提供することも可能である。
【０２１５】
かかる情報管理サーバ１０を利用することで、クライアント機器２０を操作するユーザは、切り抜き記事の管理を容易に行うことができるとともに、切り抜いた記事を、パーソナルコンピュータ、携帯電話等のモバイル機器により、時間や場所を問わず参照することが可能となる。また、登録済みの記事情報の中から、所定の時間条件に合致したものを、リマインド情報として自動的に提示されるため、時節にあうイベント等の情報や、登録したままで忘れていた情報等を、取得することができる。また、提供開始予定の紙媒体に掲載される記事に関する情報や、紙媒体のバックナンバーに記載されている情報等をリコメンド情報として取得することが可能であるため、情報を有効に利用することが可能となる。
【０２１６】
また、記事情報を提供する出版社としては、情報管理サーバ１０による記事管理機能により、紙媒体に付加価値を与えることができ、ユーザの紙媒体に対する満足度を向上させることができ、ひいては、紙媒体が有料である場合には、販売収益を向上させることができる。また、情報管理サーバ１０は、バックナンバーに関する情報についてもリコメンド情報として提供することが可能であるため、バックナンバーの売り上げが期待できる。
【０２１７】
また、情報管理サーバ１０は、登録記事に基づいてユーザの嗜好・趣味・興味がある対象などを解析することが可能であるため、広告情報を提供する広告主としては、これらの解析結果を情報管理サーバ１０から取得することで、今後の広告戦略に反映させることが可能となる。
【０２１８】
以上、添付図面を参照しながら本発明の好適な実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０２１９】
例えば、上述の各実施形態においては、紙媒体の例として、新聞、雑誌、フリーペーパー等を挙げたが、他にも、各種のチラシについても同様に扱うことが可能である。また、紙媒体のみならず、交通広告なども本発明の各実施形態に係るスクラップシステムの対象とすることが可能である。
【図面の簡単な説明】
【０２２０】
【図１】本発明の第１の実施形態に係る情報管理システムを説明するための説明図である。
【図２】同実施形態に係る情報管理サーバの構成を説明するためのブロック図である。
【図３】同実施形態に係る情報管理サーバの構成を説明するためのブロック図である。
【図４】同実施形態に係る情報管理サーバの構成を説明するためのブロック図である。
【図５】同実施形態に係る情報管理サーバの構成を説明するためのブロック図である。
【図６】同実施形態に係る情報管理サーバの構成を説明するためのブロック図である。
【図７】同実施形態に係る情報管理サーバの構成を説明するためのブロック図である。
【図８】同実施形態に係る履歴情報解析部について説明するための説明図である。
【図９】同実施形態に係るクライアント機器の構成を説明するためのブロック図である。
【図１０】紙媒体に設けられた記事特定情報記載部を説明するための説明図である。
【図１１】同実施形態に係る情報管理方法について説明するための流れ図である。
【図１２】同実施形態に係る情報管理方法について説明するための流れ図である。
【図１３】同実施形態に係る情報管理方法について説明するための流れ図である。
【図１４】同実施形態に係る情報管理方法について説明するための流れ図である。
【図１５】同実施形態に係る情報管理方法について説明するための流れ図である。
【図１６】同実施形態に係る情報管理サーバが提供する情報提供画面の一例を説明するための説明図である。
【図１７】本発明の各実施形態に係る情報管理サーバのハードウェア構成を説明するためのブロック図である。
【図１８】同実施形態に係る情報管理サーバについて説明するための説明図である。
【符号の説明】
【０２２１】
１    情報管理システム
３    通信網
４    情報提供装置
９    ＧＰＳサーバ
１０    情報管理サーバ
２０    クライアント機器
１０１    送受信部
１０３    復号部
１０５    要求情報判定部
１０７    正当性判断部
１０９    媒体購入確認部
１１１    ユーザ認証部
１１３    記事情報登録部
１１５    リマインド情報生成部
１１７    記事情報提供部
１１９    リコメンド情報生成部
１２１    履歴情報解析部
１２３    記憶部
１２５    媒体存在チェック部
１２７    購入済媒体情報登録部
１２９    購入済媒体情報検索部
１３１    記事情報照合部
１３３    ライブラリ登録部
１３５    行動履歴情報登録部
１３７    リマインド情報検索部
１３９    検索結果出力部
１４１    記事ＩＤ検索部
１４３    記事データ検索部
１４５    結果出力部
１４７    行動履歴情報登録部
１４９    新刊データ情報取得部
１５１    ユーザ嗜好情報取得部
１５３    新刊データ情報検索部
１５５    バックナンバーデータ情報検索部
１５７    検索結果出力部
１５９    位置情報チェック部
２０１    読取部
２０３    読取データ解析部
２０５    入力部
２０７    要求情報生成部
２０９    暗号化部
２１１    情報取得部
２１３    表示制御部
２１５    送受信部
２１７    記憶部
【図１】
2010033267.tif 000006
【図２】
2010033267.tif 000007
【図３】
2010033267.tif 000008
【図４】
2010033267.tif 000009
【図５】
2010033267.tif 000010
【図６】
2010033267.tif 000011
【図７】
2010033267.tif 000012
【図８】
2010033267.tif 000013
【図９】
2010033267.tif 000014
【図１０】
2010033267.tif 000015
【図１１】
2010033267.tif 000016
【図１２】
2010033267.tif 000017
【図１３】
2010033267.tif 000018
【図１４】
2010033267.tif 000019
【図１５】
2010033267.tif 000020
【図１６】
2010033267.tif 000021
【図１７】
2010033267.tif 000022
【図１８】
2010033267.tif 000023